(57)【要約】【課題】遊技情報を適切にグラフ化する遊技場用システムを提供する。【解決手段】遊技場用システムでは、基準情報を含むグラフを出力する場合に、グラフレンジの最大値と最小値とを、対象となる遊技情報に係る最大情報と最小情報とにより特定する一方、基準情報に対応する境界線をグラフレンジにおける中間地点以外の箇所に示すグラフとして出力するため、基準値に対し最大値と最小値との何れかに一方にだけ合わせるようなグラフレンジを設定する従来構成と比較して、グラフの領域を有効利用することができる。【選択図】図８
2020146368.tif 000002
【特許請求の範囲】
【請求項１】
遊技機側から出力される遊技信号により特定される遊技情報を管理する管理手段と、
遊技機を区分するための基準情報を設定する設定手段と、
前記管理手段により管理される遊技情報に対応する識別情報を配置したグラフを出力する出力手段と、
前記グラフにおけるグラフレンジの最大値を、前記管理手段により管理される最大の遊技情報、及び予め設定される最大設定情報の少なくとも一方である最大情報に応じて特定するとともに、当該グラフレンジの最小値を、前記管理手段により管理される最小の遊技情報、及び予め設定される最小設定情報の少なくとも一方である最小情報に応じて特定する特定手段と、を備え、
前記出力手段は、前記特定手段により特定されたグラフレンジにおける前記基準情報に対応した箇所であって、当該グラフレンジにおける最大値と最小値との中間地点以外の箇所に前記グラフの領域を区分するための境界線を示すことを特徴とする遊技場用システム。
【請求項２】
前記遊技情報は、遊技機の稼動状況を示す第１遊技情報と、遊技機の調整状況を示す第２遊技情報とを含み、
前記基準情報は、前記第１遊技情報の平均値を示す第１基準情報と、前記第２遊技情報の平均値を示す第２基準情報とを含み、
前記特定手段は、前記第１遊技情報を第１軸、前記第２遊技情報を第２軸とし、前記グラフレンジにおける前記第１軸の最大値と最小値とを、前記第１遊技情報に対応した最大情報と最小情報とに応じて特定するとともに、前記第２軸の最大値と最小値とを、前記第２遊技情報に対応した最大情報と最小情報とに応じて特定し、
前記出力手段は、前記特定手段により特定された前記第１軸の最大値と最小値並びに前記第２軸の最大値と最小値を有するグラフレンジとし、当該グラフレンジにおける前記第１基準情報に対応した箇所に第１境界線を示す一方、前記第２基準情報に対応した箇所に第２境界線を示すことを特徴とする請求項１に記載した遊技場用システム。
【請求項３】
遊技機をスペックに応じたタイプ別に分類するための分類手段を備え、
前記出力手段は、前記分類手段により分類されたタイプ別に前記グラフを出力することを特徴とする請求項１又は２に記載した遊技場用システム。
【請求項４】
前記基準情報と遊技情報とを比較して遊技機を区分する区分手段を備え、
前記管理手段は、前記遊技情報を所定期間単位で管理可能であり、
前記区分手段は、前記管理手段により管理対象となる一の期間における遊技情報と前記基準情報とを比較して遊技機を区分する一方、他の期間における遊技情報と前記基準情報とを比較して遊技機を区分し、
前記出力手段は、前記一の期間における区分結果と、前記他の期間における区分結果とを一覧出力することを特徴とする請求項１から３の何れか一項に記載した遊技場用システム。
【請求項５】
前記管理手段は、前記遊技情報を機種単位で管理し、
前記出力手段は、前記識別情報を機種単位で配置し、
当該識別情報は、機種各々の台数に応じた大きさで配置されることを特徴とする請求項１から４の何れか一項に記載した遊技場用システム。
【発明の詳細な説明】
【技術分野】
【０００１】
本発明は遊技場用システムに関する。
【背景技術】
【０００２】
遊技場に設置される遊技機を管理する場合、例えば特許文献１のように遊技情報をグラフ化することで、その傾向が把握し易くなる。この場合、グラフ化の対象となる遊技情報の最大値と最小値とによりグラフレンジを定めることで、最大値や最小値に応じたグラフを提供可能になるが、同文献１の図８に示されるように、基準となる中心線を０といった固定値とした場合に、その固定値に対する最大値との差及び最小値との差のうち当該差の大きい方に合わせてグラフレンジを定めると、遊技情報のグラフが固定値に対して一方側に偏り（同図８で上側或いは下側に偏在し）、適切なグラフを生成できない虞がある。
【先行技術文献】
【特許文献】
【０００３】
【特許文献１】特開２００４−９７５１３号公報
【発明の概要】
【発明が解決しようとする課題】
【０００４】
本発明は、上記した事情に鑑みてなされたもので、その目的は、遊技情報を適切にグラフ化する遊技場用システムを提供することにある。
【課題を解決するための手段】
【０００５】
請求項１の遊技場用システムによれば、遊技機を区分するための基準情報を含むグラフを出力する場合に、グラフレンジの最大値と最小値とを、対象となる遊技情報に係る最大情報と最小情報とにより特定する一方、基準情報に対応する境界線をグラフレンジにおける中間地点以外の箇所に示すグラフとして出力するため、基準値に対し最大値と最小値との何れかに一方にだけ合わせるようなグラフレンジを設定する従来構成と比較して、グラフの領域を有効利用することができる。
【図面の簡単な説明】
【０００６】
【図１】一実施形態における遊技場用システムの全体構成を示す概略図
【図２】（ａ）はスペック値、（ｂ）はタイプ別の分類を示す図
【図３】各遊技機の素データの一覧を示す図
【図４】各遊技機の遊技情報の集計を示す図
【図５】スペック情報を示す図
【図６】理論情報を示す図
【図７】出力設定を示す図
【図８】分布グラフ１（指定タイプ）を示す図
【図９】バブルサイズ設定を示す図
【図１０】グラフレンジと境界線を説明するための図
【図１１】分布グラフ２（指定タイプ・比較期間有り）を示す図
【図１２】分布グラフ３（全タイプ）を示す図
【図１３】シェアグラフ１（全タイプ）を示す図
【図１４】シェアグラフ２（指定タイプ）を示す図
【図１５】境界線による８区分を説明するための図
【図１６】遊技情報一覧画面１（４区分・一期間）を示す図
【図１７】遊技情報一覧画面２（８区分・一期間）を示す図
【図１８】分布グラフ４（８区分・指定タイプ）を示す図
【図１９】シェアグラフ３（８区分・全タイプ）を示す図
【図２０】シェアグラフ４（８区分・指定タイプ）を示す図
【図２１】遊技情報一覧画面３（４区分・複数期間）を示す図
【図２２】推移グラフ１（４区分・全タイプ）を示す図
【図２３】推移グラフ２（８区分・全タイプ）を示す図
【図２４】推移グラフ３（８区分・指定タイプ）を示す図
【図２５】移行通知画面(A)を示す図
【図２６】詳細表示画面(a)を示す図
【図２７】詳細表示画面(b)を示す図
【図２８】第２コメントテーブル（特定の区分に属する場合）を示す図
【図２９】第１コメントテーブル（特定の区分から脱した場合）を示す図
【発明を実施するための形態】
【０００７】
以下、本発明の一実施形態について図面を参照して説明する。
図１は、遊技場用システムの全体構成を示す概略図である。遊技場Ａ内には複数機種の遊技機１が設置されており、各遊技機１に対応して遊技装置２が設置されている。これら遊技機１及び遊技装置２は２台ずつ中継装置３に接続されており、中継装置３はＬＡＮ４を介して管理装置５と接続されている。また、遊技場Ａ内には、図示しないＰＯＳや残高精算機も設置されており、これらＰＯＳや残高精算機もＬＡＮ４を介して管理装置５と接続されている。尚、図１では図示を省略したが、実際には多数（例えば数百台）の遊技機１が管理装置５の管理対象となっている。
【０００８】
管理装置５は、遊技場Ａ内の例えば事務室等に設置されており、遊技場の管理者が操作するキーボード６、モニタ７、プリンタ（図示略）等が接続されている。管理装置５は、遊技機側（遊技機１、遊技装置２等）から出力される遊技信号を入力することで、遊技機１毎の遊技情報、会員登録された会員毎の個人情報、遊技機１や遊技装置２等の稼動状態等を管理する。
【０００９】
遊技場用システムでは、別の遊技場（図１の例示では遊技場Ｂ、遊技場Ｃ）においても、上記した遊技機１、遊技装置２、中継装置３、ＬＡＮ４、管理装置５等を設置した遊技場Ａと同様の構成が採用されている。各遊技場Ａ〜Ｃに設置されている各管理装置５は、夫々インターネットやＶＰＮ接続等の公衆回線８を介して、各遊技場Ａ〜Ｃとは別に設置されているサーバ９と接続されており、各種信号や各種情報を公衆回線８等を介してサーバ９と通信可能に構成されている。
遊技機１は、ＣＲ（カードリーダ）パチンコ機であり、盤面１０に玉を発射する発射装置を構成する操作ハンドル１１、上部受皿１２、下部受皿１３を有すると共に、盤面１０に、液晶表示部１４、普図入賞口１５、第１始動口１６、第２始動口１７、大入賞口１８等を有する。
【００１０】
遊技機１は以下に示すように動作する。
（１）第１始動口１６は入賞率が変動しない入賞口（所謂ヘソ入賞口）であり、第２始動口１７は入賞率が変動する入賞口（所謂電チュー）である。各始動口１６、１７への入賞（始動入賞）に応じて大当り抽選を行い、抽選結果を液晶表示部１４にて行う図柄変動にて報知し、その変動結果に応じて大当りとなる。
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１１】
（３）図２（ａ）は、大当り抽選の当選確率（大当り確率）に係るスペック値を例示している。同図に示すように、「大当り確率」は、確変状態（確変）でも大当りでもない通常遊技状態（通常状態）と確変とを対象として規定され、「継続回数」は、大当りがその後に確変となる大当り（確変大当り）となる割合である確変率等の大当りの継続回数に関わる値を規定している。
尚、通常状態での大当り確率に関して、後述する図２（ｂ）の「ＴＳ上限」は、当該大当り確率の分母を表している。また、大当りの継続回数は、確変時の大当り確率や確変率や後述する時短回数等から想定される想定値として把握することができる。尚、所謂モード（遊技機設定値）により大当り確率等を変更可能な遊技機１に対応してもよく、スペック値は、そのモード等に応じて適宜変更しうるものである。
【００１２】
（４）大当りが発生すると対応するラウンド（Ｒ）分だけ大入賞口１８を開放する。尚、１Ｒの上限入賞数は１０個、上限開放期間は３０秒であり、上限入賞数または上限開放期間のいずれかが満たされた場合に１Ｒを終了する。対応するラウンドも大当り抽選と同様に抽選され、その振分率は第１始動口１６に入賞した場合は２Ｒが１０％で４Ｒが５１％で１５Ｒが３９％であるが、第２始動口１７の場合は４Ｒが１０％で１５Ｒが９０％となり、入賞に応じた図柄変動の保留消化優先順位は第１始動口１６よりも第２始動口１７の方が高く設定される。
（５）確変中は大当り確率が向上すると共に、第２始動口１７の入賞率が高くなる時短状態（時短）になる。尚、確変は次回大当りまで継続するため、通常状態となる大当り（通常大当り）が発生するまで継続し、その後は所定の時短回数（例えば１００回）の図柄変動を行うまで時短状態となる。
【００１３】
（６）第２始動口１７は普図入賞口１５への入賞に応じて変動する普通図柄（普図）が当りとなった場合に入賞率の高い開放状態となる。この場合、普図１回の変動期間は通常状態では３０秒であり時短状態では３秒となる。また、開放期間は通常状態では０．３秒であり時短状態では５秒となる。即ち、時短状態では通常状態と比較して普図変動期間が短くなる一方、開放期間は長くなることで第２始動口１７の入賞率が高くなる。以上は機種Ａを例にして説明したが、例示した値は例えば機種Ｂであればラウンドの振分が異なる等、機種に応じて様々な値となる。
【００１４】
ここで、図２（ｂ）は、上記したパチンコ機について、そのスペック値に応じたタイプ別に予め分類した一例を示している。即ち、管理装置５は分類手段として、キーボード６での入力操作等に基づき、遊技機１をスペックに応じたタイプ別に分類する機能を有しており、「ハイミドル」「ミドル」「ライトミドル」「ライト」「ミニマム」「その他」の６つのタイプごとにスペック値等を対応付けて規定している。同図（ｂ）に示す「ＴＳ上限」及び「ＴＳ下限」は、通常時の大当り確率の分母つまり理論ＴＳに対応しており、対応する遊技機１のタイプは、理論ＴＳを目安に分類される射幸性のタイプである。「その他」は、同図（ｂ）に示すように所謂羽根モノに属するタイプのような大当り確率が設けられないタイプの遊技機１が分類されるものとする。
【００１５】
遊技機１を分類する指標は、理論ＴＳ（実際のＴＳでもよい）に限るものではなく、例えば後述する図５のスペック情報の「貸単価」等でもよく、又、パチンコ機とスロットマシンとで分類できるのは勿論である。尚、スロットマシンの場合、遊技性に応じてノーマル（ＲＴやＡＴ等が設けられない所謂Ａタイプ）、ＲＴ、ＡＲＴ、ノーマル＋ＡＲＴ、３０φノーマル、３０φＡＲＴ等のタイプ別に分類されるものとする。
【００１６】
遊技機１及び当該遊技機１に付設された周辺機器は、遊技者による玉の打ち込みや各始動口１６、１７への始動入賞等の遊技の進行に伴って、以下に示す遊技信号を出力する。
・アウト信号＝消費玉を回収するアウトＢＯＸから出力される消費価値（アウト）を特定可能な信号（稼動信号）。消費（使用、打込、回収）玉１０玉に対して１パルスが出力されるので、「アウト信号数×１０」をアウトとして特定。尚、遊技機側から出力される信号でもよい。
・セーフ信号＝遊技機側から出力される入賞付与価値（セーフ）を特定可能な信号。入賞に応じた払出１０玉に対して１パルスが出力されるので、「セーフ信号数×１０」をセーフとして特定する。尚、補給装置から出力される補給信号をセーフ信号としてもよい。また、玉を実際に払出した際に出力される実セーフ信号と、入賞に応じて払出が予約された場合に出力される入賞セーフ信号とがあるが、入賞から出力までのタイムラグを極力省くため後者を採用することが望ましい。
・スタート信号＝遊技機側から出力される始動入賞（Ｓ入賞）により変動（作動）する液晶表示部１４（役物）におけるスタート処理（図柄変動、役物作動、単位遊技）、及びスタート（スタート処理数）を特定可能な信号。図柄変動確定時に出力されるので信号入力に応じてスタート処理を特定する。
・Ｓ入賞信号＝遊技機側から出力されるＳ入賞を特定可能な信号。始動入賞時に出力されるので信号入力に応じて始動入賞を特定する。尚、スタートとＳ入賞とのいずれか一方のみを管理する等、兼用して管理対象としてもよい。
・大当り信号＝遊技機側から出力される大当り期間を特定可能な信号。大当り中にレベル出力される状態信号なので大当り信号入力中を大当り中として特定する。
・特別状態信号＝遊技機側から出力される特別状態（甘中）を特定可能な信号。第２始動口１７の入賞率が向上する特別状態中（時短中（確変時を含む））にレベル出力される状態信号なので、特別状態信号入力中を特別状態中として特定する。尚、大当り確率が向上する確変中にレベル出力される状態信号（確変信号）であってもよい。また、大当り信号と特別状態信号のいずれも入力していない期間を通常状態として特定する。
【００１７】
遊技装置２は、所謂各台計数機能付の貸出機であり、遊技機１の遊技状態を示す状態表示灯１９、貨幣（貨幣価値、有価価値）が投入される貨幣投入口２０、遊技者からの入力操作を受け付けると共に遊技の進行に伴って図柄変動回数（スタート回数）や大当り確率等の遊技情報を表示するタッチパネル式の液晶表示部２１、持玉（会員であれば貯玉も含む、獲得価値、有価価値）を払い出すための払出釦２２、払い出された玉が通過する払出ノズル２３、一般カードや会員カードが挿入されるカード挿入口２４、遊技機１の下部受皿１３の下方に位置する着脱可能な計数受皿２５等を有する。
【００１８】
遊技装置２は、以下に示す機能を備えている。
（１）貨幣を受け付けると（貨幣受付処理）と、遊技機１と遊技装置２の双方に入金額を表示すると共に貸出１単位（例えば５００円）分の貸出玉（対価付与価値）を遊技機１から払い出させ（対価付与処理）、その対価付与処理に応じて入金額の表示を貸出玉の対価を除いた残高の表示とする。貨幣は複数回分の対価付与処理の対応分を受付可能である（例えば１万円まで）。
（２）残高がある状態で遊技機１の貸出釦が押下（貸出操作、付与操作）されると、貸出１単位分の貸出玉を遊技機１から払い出させ、その対価分を残高から引き落とす。また、所謂各台計数機能も備えており、遊技者が獲得した獲得玉を計数し、その計数した獲得玉を対価として再度玉を払い戻すことも可能であり、その払い戻し分の対価を除いた玉数を持玉として特定することも可能である。
【００１９】
（３）残高や持玉が残存する状態で遊技機１の返却釦が押下（発行操作）されると、残玉や持玉を特定可能な一般カードを発行する。尚、残高や持玉の一部を発行対象とする分割発行は説明の簡略化のため不可としたが可能としてもよい。
（４）中継装置３とのシリアル通信（売上信号の受信）により貨幣受付処理や対価付与処理、残高や貸出玉数、入金額や貸出玉数や貸出玉の対価となる売上額、計数玉、持玉、払戻玉、及び一般カードの受付や発行処理を特定可能であるが、これらはパルス信号（例えば入金１０００円毎に１パルス、売上１００円毎に１パルス等）でも特定可能である。
【００２０】
管理装置５の制御部（単に「管理装置５」と称す）は、マイクロコンピュータを主体に構成され、ＲＯＭ、ＲＡＭ、ＨＤＤ等からなる記憶部、Ｉ／Ｏ等を備えており、その不揮発性の記憶部に記憶された制御プログラムに従い動作する。管理装置５は、遊技機側から出力される遊技信号により特定される遊技情報を管理する管理手段として各遊技機１の遊技情報を集計している。
【００２１】
図３は管理装置５が営業日単位で集計した例えば機種Ａに属する各遊技機１の基データ（実績値）の一覧を示しており、以下の各項目が設定されている。
・アウト＝アウト信号により特定される遊技機１にて消費された遊技価値
・セーフ＝セーフ信号により特定される遊技機１への入賞に応じて付与された遊技価値
・スタート＝スタート信号により特定される遊技機１における役物の作動回数（図柄変動数）
・Ｓ入賞＝Ｓ入賞信号により特定される始動入賞回数
・売上玉＝売上信号により特定される対応する貸出機にて貨幣価値を対価として付与された遊技価値（貸出玉数、対価付与価値）
・大当り数＝大当り信号により特定される大当り数で、「通常」は通常時に発生した大当り数で所謂「初当り」数、「特定」は特定の条件を満たす（例えばＴ１Ｙに対して設定される基準範囲（例えば１０００〜２０００）内のＴ１Ｙとなった）大当りである特定大当りの発生回数
・Ｔアウト＜Ｔセーフ＞＝Ｔ中（大当り中、及び甘中）のアウト＜セーフ＞
・Ｔ１アウト＜Ｔ１セーフ＞＝Ｔ１中（大当り中）のアウト＜セーフ＞
・特Ｔ１アウト＜特Ｔ１セーフ＞＝特定大当りのみを対象としたＴ１中のアウト＜セーフ＞
【００２２】
尚、図３の「平均」は機種Ａを対象とした遊技機平均であり、「甘中」は時短などの特別状態期間に対応した遊技情報を示す。また、本実施形態では、所謂貯玉に基づく再プレイシステムのない遊技場を前提としているが、再プレイシステムのある遊技場であれば、売上玉に再プレイ玉を含めて演算することが望ましい。但し、図１に示す払出ノズル２３は遊技者が当日に獲得した獲得玉を払戻すための再プレイ用であり、この再プレイ玉は売上玉に含める必要はない。
【００２３】
また、管理装置５は、遊技情報を所定期間単位で管理可能であり、図３の基データに基づいて当該所定期間（例えば一週間、一カ月といった複数日からなる参照期間）における各遊技機１の遊技情報を集計する。ここで、図４は例えば機種Ａに属する各遊技機１の遊技情報の集計（実績情報）であり、以下の各項目が設定されている。尚、実績情報とは実績値のみだけではなく、実績値に基づく理論値も含む概念である。
・ベース＝状態（通常時、甘中）別の出率で、「通常」はＢセーフ÷ＢＯ、「甘中」はＢセーフＡ÷ＢＯＡの演算値を示す遊技情報（遊技価値の付与状況）
尚、以下も含め通常中のアウトであるＢＯはアウト−Ｔアウト、通常中のセーフであるＢセーフはセーフ−Ｔセーフ、甘中のアウトであるＢＯＡはＴアウト−Ｔ１アウト、甘中のセーフであるＢセーフＡはＴセーフ−Ｔ１セーフにて特定しているが、ＢＯ、Ｂセーフ、ＢＯＡ、ＢセーフＡを素データとして求めてもよい。以下、通常中のベースを単にベース、甘中のベースをＢＡとも言うことがある。
・平均Ｓ＝状態別のアウトに対する図柄変動数の割合で、通常（甘中）スタート÷ＢＯ（ＢＯＡ）の演算値を示す遊技情報（遊技機における入賞状況）
・平均Ｓ入賞＝状態別の始動入賞数の割合で、通常（甘中）Ｓ入賞÷ＢＯ（ＢＯＡ）の演算値を示す遊技情報
尚、以下では通常中の平均ＳをＳ、甘中の平均ＳをＳＡと言うことがある。
・有効率＝始動入賞数に対する図柄変動数の割合で、通常スタート÷通常Ｓ入賞の演算値を示す遊技情報
尚、通常だけでなく甘中の有効率を管理してもよい。
・ＢＹ＝図柄変動分を除いたベースで、通常（甘中）ベース−通常（甘中）平均Ｓ×始動賞球の演算値を示す遊技情報
・ＢＹmin＝始動入賞分を除いたベースで、通常（甘中）ベース−通常（甘中）平均Ｓ入賞×始動賞球の演算値を示す遊技情報
尚、始動賞球は始動入賞１回当りのセーフで、３にて演算する。
・Ｔ１Ｙ＝平均大当り中出玉数で、（Ｔ１セーフ−Ｔ１アウト）÷合計大当り数の演算値を示す遊技情報
Ｔ１Ｏ＝平均大当り中アウトで、Ｔ１アウト÷合計大当り数の演算値を示す遊技情報
尚、合計大当り数＝通常大当り数＋甘中大当り数である。
・特Ｔ１Ｙ＝特定大当りを対象としたＴ１Ｙで、（特Ｔ１セーフ−特Ｔ１アウト）÷特定大当り数の演算値を示す遊技情報（遊技価値の付与状況）
・特Ｔ１Ｏ＝特定大当りを対象としたＴ１Ｏで、特Ｔ１アウト÷特定大当り数の演算値を示す遊技情報
・出率＝アウトに対するセーフの割合（払出率、付与率）で、セーフ÷アウトの演算値を示す遊技情報
・Ｂサ＝通常時の差玉数で、ＢＯ−Ｂセーフの演算値を示す遊技情報
・客滞率＝売上玉に対するＢサの割合で、Ｂサ÷売上玉の演算値を示す遊技情報（特定情報）
・粗利＝遊技に応じた遊技場側の営業利益で、売上額−獲得玉×貸単価×原価率の演算値を示す遊技情報
尚、獲得玉（獲得価値）＝売上玉＋セーフ−アウトである。また、貸単価等は遊技場単位で設定すればよい。
・売上額＝売上玉×貸単価の演算値を示す遊技情報
尚、貸単価＝４円、原価率＝７５％にて演算する。
・玉単価＝アウト１当りの売上額で、売上額÷アウトの演算値を示す遊技情報
・玉粗利＝アウト１当りの粗利で、粗利÷アウトの演算値を示す遊技情報
・営業割数＝実際の売上額（売上玉）に対する遊技場側の損益額（損失玉）の割合で、獲得玉÷売上玉の演算値を示す遊技情報
尚、図４の「平均」は、機種Ａを対象とした遊技機平均（図３の「合計」の対応値）である。
【００２４】
ここで、図５は、機種Ａを対象としたスペック情報を示している。
スペック情報としては、図２で例示したＴＳ、ＴＳＡ及び継続回数（平均継続数）の他、ラウンド係数、アタッカ係数、始動賞球、貸単価、原価率が規定され、夫々のスペック値が設定されている。ここで、ＴＳ〜始動賞球は機種別に設定する必要がある。また、貸単価と原価率とは遊技場における各機種に対応したレート情報として設定されるが、遊技場や機種が同一でも異なる場合もあるので、そのようなレート情報があれば機種別等で適宜設定される。
【００２５】
尚、スペック情報は、管理装置５に予め設定されているものとする。また、スペック情報については、遊技者の遊技傾向により遊技機１のスペック情報から特定される期待値とは異なる期待値となる場合もあるので、後述するようにサーバ９にて統合して集計した遊技情報により特定してもよく、図５の少なくとも一部をサーバ９から配信される情報により設定可能としてもよい。
【００２６】
ところで、管理装置５では、上記したように各遊技機１の遊技情報を集計し、それらの集計値を例えば４００日間にわたって記憶部に保持し、その期間内における任意の期間を選択して帳票等（グラフを含む）を出力する構成とされている。こうした、管理装置５における帳票等の出力は、例えばモニタ７への表示やプリンタによる印字等で行われるものであるが、係る出力手段はモニタ７等に限定するものではない。
【００２７】
このように、管理装置５にて遊技機１を管理する場合、各種の遊技情報をグラフ化しモニタ７に表示させることで、その傾向が把握し易くなるが、例えばグラフレンジとの関係で、遊技情報の座標値がグラフの一方側に偏在する等して、適切なグラフを生成できない場合が想定される。また、図２（ｂ）に示したように遊技機１には複数のタイプが存することから、単純にタイプ別にグラフを生成することも考えられるが、係るタイプ別の複数のグラフでは複数のタイプの遊技機の比較が難しくなる虞がある。更に、グラフにおいて、遊技情報に基づき遊技機１を区分して表示させる場合、その区分如何によっては遊技機の撤去候補として検討する重要な判断事項となるため、当該区分に該当するか否かを的確に把握する必要がある。
【００２８】
そこで、本実施形態の遊技場用システムにあっては、遊技情報を適切にグラフ化するとともに、複数のタイプの遊技機１についても比較し易い帳票を提示するものとし、又、遊技機の区分に関して、より適切な判断と対応を採ることができるようにしている。係る具体的な構成について、図７以降の図面も参照しながら説明する。
【００２９】
遊技場の管理者は、キーボード６等での入力操作により、モニタ７に図７に示すような出力設定画面を表示させ、グラフに関する設定の入力を行う。この場合、管理装置５は、係る設定の入力操作を受け付けることにより、第１遊技情報をＸ軸（第１軸）、第２遊技情報をＹ軸（第２軸）としたグラフを規定する。
【００３０】
具体的には、図７の上段に示す欄７１の「項目」は、Ｘ軸とＹ軸との各々について、何れの遊技情報を対応付けるかを示している。「項目」について、Ｘ軸はパチンコ機及びスロットマシンの両者で「アウト」、Ｙ軸はパチンコ機及びスロットマシンの両者で「ＳＰ玉粗利」が各々デフォルトとして設定されている。
【００３１】
ここで、ＳＰ玉粗利（理論玉粗利）とは、図５のようなスペック情報通り（例えば通常状態にてＴＳ分のスタートを得た場合に初当りが発生し、その後に通常状態に戻るまでには平均継続数分の大当りが発生する等）に大当りや甘中等の有利状態が発生した場合といった、スペック通りに遊技結果が得られたと仮定した場合の、遊技情報である理論値の１つ（玉粗利）に相当する。大当り状態等は抽選により発生の有無が特定されるため、その抽選に偏りが生ずる図３で説明した実績値と必ずしも近似する値にはならない（図６参照）。ここで、図６について簡単に説明する。図６は、図４で説明した機種Ａのパチンコ機について、図５の「スペック情報」を設定し、「基データ」を特定した上で、それらにより特定される当該遊技機のデータに基づき抽選等の偏りが生じずに大当り等の有利状態が発生した場合における出率等の理論値の一例を示しており、その定義や演算式を示している。図６の「基データ」は、図３、図４のような集計に対して指定した参照期間における平均値を示しており、参照期間を複数日とすることで安定した遊技情報が得られる。図６の「理論値」は、前記スペック情報と基データとに基づく理論値として特定される。「ＳＰ玉粗利」とは同図に示されるような「理論値」における「玉粗利」を称するものであり、大当りの発生の偏りに影響を受けない玉粗利（粗利÷アウト）である。
【００３２】
上記した「項目」については、図７の欄７１に示すように「アウト」等の遊技機１の稼動状況を示す第１遊技情報をＸ軸にとり、「ＳＰ玉粗利」等の遊技機１の調整状況を示す第２遊技情報をＹ軸にとるように設定するのが望ましい。
第１遊技情報としては、同欄７１のアウトに代えて例えば、遊技時間（例えば１時間＝５０００アウトとして当該アウトに基づき換算される時間や、アウト信号のような稼動信号を入力した際に所定期間作動する所謂稼動タイマの作動期間）、スタート、大当り数、セーフ等のうちの何れかを選択的に設定することができる。第２遊技情報としては、同欄７１のＳＰ玉粗利に代えて例えば、粗利、玉粗利、出率、ベース、平均スタート、割数等のうちの何れかを選択的に設定することができる。また、前記モードを適用する場合には、これを第２遊技情報として設定してもよい。
図７の上段の欄７１において、「項目」下側の「反転」は、「する」を選択することで、第１遊技情報（或いは第２遊技情報）に係る値についてマイナス１を乗じる、つまりグラフ上で右側ほど（或いは上側ほど）値が小さくなるように表示する設定を行うものである。
【００３３】
図７の中段に示す欄７２では、グラフにおける「Ｘ軸基準点」と「Ｙ軸基準点」について、「４円パチンコ」「１円パチンコ」「２０円スロット」「５円スロット」の種別毎に、「オート」及び「指定値」のうちの何れかを選択的に設定する。「指定値」を選択した場合、その「値」に指定したい値を入力する。「オート」を選択した場合について、詳しくは図８以降にて説明するが、管理装置５（設定手段）は、遊技機１を区分するための基準情報として、第１遊技情報の平均値を示す第１基準情報と、第２遊技情報の平均値を示す第２基準情報とを設定し、それら第１基準情報と第２基準情報とに対応した、Ｘ軸の基準点とＹ軸の基準点とを自動的に設定するようになっている。
同様に、図７の中段の欄７２では、「Ｘ軸ＭＡＸ（最大値）」及び「Ｙ軸ＭＡＸ」、並びに図示しないＸ軸ＭＩＮ（最小値）及びＹ軸ＭＩＮについても、「オート」や「指定値」を設定できるようになっている。尚、中段の欄７２における「オート」等の設定や指定値の入力は、パチンコ機やスロットマシンといった遊技機１の各種類について貸単価別に（つまり「種別」毎に）行うことができる。
【００３４】
図７の下段に示す欄７３では、１〜４の区分について「金のなる木」、「花形」、「負け犬」、「問題児」の各名称が設定されている。「金のなる木」〜「問題児」は、後述するＰＰＭ（Product Portfolio Management）における管理手法の分類に対応するもので、グラフの平面座標における第１象限〜第４象限の範囲に相応する（図８等参照）。また、同欄７３では「金のなる木」〜「問題児」の各区分について略称が表示されているが、各区分の名称は、略称も含め何れも入力操作により変更が可能とされている。
【００３５】
（１）分布グラフ１（指定タイプ）
管理装置５（出力手段）は、上記した図７の欄７１〜７３での入力操作による設定並びに遊技情報に基づいて、その設定された遊技情報に対応する識別情報を配置したグラフをモニタ７に出力して表示させる。ここで、図８のグラフ８１は、図７の欄７１で「アウト」をＸ軸、「ＳＰ玉粗利」をＹ軸に設定し、「金のなる木」〜「問題児」の４区分で遊技機１を区分した分布図を表している。
また、図８に示すように、グラフ８１は、同画面における左上部の欄８２ａにて「○○年○月○日〜○月○日」を参照期間として設定し、種別の欄８２ｂにて「４円パチンコ」を選択し、タイプの欄８２ｃにて「ハイミドル」を選択した場合に、対象となる遊技機１について、機種単位で集計された遊技情報の座標データをバブル（ドットの集合体の円）としてプロットした（識別情報として配置した）ものである。つまり、このグラフ８１では、管理装置５により、機種Ａ、機種Ｂ…といった機種単位で管理されるアウトやＳＰ玉粗利（後述する図１１の表１１２参照）を、対応するバブルの座標位置で表わすとともに、該当機種の台数をそのバブルサイズで表わす。
【００３６】
尚、タイプの欄８２ｃにおける「全ＳＩＳタイプ」は、「ハイミドル」〜「その他」の６つのタイプ全てを包含する（つまり遊技場Ａ全体における全タイプを対象とする）グラフを出力する場合に選択される。また、モニタ７（画面）における各欄８２ａ〜８２ｃの選択・設定操作は、例えばマウス等の操作により、モニタ７上のマウスカーソルの位置を「ハイミドル」等の表示領域に合わせて選択することにより行うものであるが、以下では、単に選択或いは設定と称する。
【００３７】
グラフ８１のグラフレンジにおけるＸ軸の最大値と最小値とは、第１遊技情報たるアウトに対応した最大情報と最小情報とに応じて特定され（定められ）、Ｙ軸の最大値と最小値とは、第２遊技情報に対応した最大情報と最小情報とに応じて特定される。即ち、管理装置５（特定手段）は、選択された「４円パチンコ」の遊技機１であって「ハイミドル」のタイプについてのアウトを照合し、当該アウトのうち最大値（最大の遊技情報）をＸ軸の最大値（同グラフ８１で「5000」）とし、当該アウトのうち最小値（最小の遊技情報）をＸ軸の最小値（同グラフ８１で「0」）として特定する。同様に、管理装置５は、「４円パチンコ」且つ「ハイミドル」のタイプについてのＳＰ玉粗利を照合し、当該ＳＰ玉粗利のうち最大値（最大の遊技情報）をＹ軸の最大値（同グラフ８１で「1.300」）とし、当該ＳＰ玉粗利のうち最小値（最小の遊技情報）をＹ軸の最小値（同グラフ８１で「0.700」）として特定する。尚、図８以外のグラフも含め、例えば図８において5000と示したアウトは50000を示す等、アウトの数値は適宜1/10にて示している箇所がある。
【００３８】
こうして、グラフレンジの最大値を、管理装置５により管理される最大の遊技情報に応じて特定するとともに、当該グラフレンジの最小値を、管理装置５により管理される最小の遊技情報応じて特定する。係る最大の遊技情報は「最大情報」に相当し、最小の遊技情報は「最小情報」に相当する。グラフ８１では説明の便宜上、最大情報と最小情報とをきりのよい値（アウトの最大値5000と最小値0）としたが、そのアウト等の実際の最大値と最小値とが収まる、きりのよい値となるようなグラフレンジの最大値と最小値とを設定してもよい。
【００３９】
例えば、図１０に示すように、機種Ａのアウトの最大値が4800、機種Ｂのアウトの最小値が1200であったと仮定する。この場合、管理装置５は、両値4800と1200とを含むグラフレンジであって、各々対応するグラフレンジの最大値と最小値とを概数としたときのグラフエリアが最小となるようなグラフレンジ（最大値の概数5000と最小値の概数1000）として特定することにより、同図に模式的に示すグラフ１００のエリアを画定する。これにより、グラフ１００は、グラフエリアにおいて、最大情報と最小情報とに対して余白を設けることができ、グラフレンジの最大値と最小値とを、きりのよい数値として求めることができる。尚、グラフ８１，１００は、そのグラフエリアをドラッグする等して、モニタ７上でグラフ自体をスクロールできるように画面表示してもよい。
【００４０】
また、最大情報と最小情報とを、予め設定される最大設定情報と最小設定情報とに応じて特定してもよい。例えば、アウトの最大設定情報については、図７中段の欄７２で「Ｘ軸ＭＡＸ」の「値」80000（営業時間の上限と想定される１３時間×6000アウト＋α）を予め入力し、アウトの最小設定情報についても、「Ｘ軸ＭＩＮ（図示略）」の「値」0を予め入力することにより、グラフレンジにおけるＸ軸の最大値と最小値を規定することができる。また、例えば「Ｘ軸ＭＡＸ」を「オート」に設定し、「Ｘ軸ＭＩＮ」を「値」0に設定する（つまり最大情報を最大の遊技情報とし、最小情報を最大設定情報とする）等、最大情報は、最大の遊技情報及び最大設定情報の何れか一方とし、最小情報は、最小の遊技情報及び最小設定情報の何れか一方とすればよい。
【００４１】
図８のグラフ８１において、太線で表される境界線８１ａ，８１ｂは、グラフレンジにおける基準情報に対応した箇所であって、当該グラフレンジにおける最大値と最小値との中間地点ｐ０以外の箇所に位置し、当該グラフ８１の領域を区分するための基準線である。即ち、管理装置５は、グラフ８１におけるＸ軸の基準点とＹ軸の基準点とを特定する場合に、該当するタイプ「ハイミドル」の遊技機１について、第１基準情報としてのアウトの平均値（例えば1200）と、第２基準情報としてのＳＰ玉粗利の平均値（例えば0.880）とを求める。そして、グラフ８１において、求めたアウトの平均値とＳＰ玉粗利の平均値とを交点ｐ１として、相互に直交する、Ｙ軸方向に延びる境界線８１ａとＸ軸方向に延びる境界線８１ｂとを設定する。
【００４２】
よって、グラフ８１は、Ｘ軸の最大値と最小値並びにＹ軸の最大値と最小値を有するグラフレンジとし、当該グラフレンジにけるアウトの平均値に対応した箇所に境界線８１ａ（第１境界線）を示す一方、ＳＰ玉粗利の平均値に対応した箇所に境界線８１ｂ（第２境界線）を示すものといえる。尚、各基準情報は、上記した平均値に限らず、例えばアウトを複数の範囲に区分し、その範囲の内、多数の機種が属する範囲に対応した値や、Ｘ軸やＹ軸の最大値と最小値との中間値等を採用してもよく、各基準情報の値は、グラフレンジの値と同様、特定の桁で切上、切捨等することにより、きりのよい数値としてもよい。なお、基準線は中間地点Ｐ０に対応しない場合があれば、平均値等がたまたま中間地点Ｐ０に対応する場合に中間地点Ｐ０に対応した箇所に基準線を設けても勿論よい。
【００４３】
こうして、直交座標系のグラフ８１において、境界線８１ａ，８１ｂにより第１象限〜第４象限の範囲が区分される。また、グラフ８１では、当該機種毎の座標データ（Ｘ，Ｙ）を、その値（アウト、ＳＰ玉粗利）に対応する点に合わせて、当該機種各々の台数に応じた大きさのバブルサイズでもって、区分毎の色（各象限に対応付けた色）で表示する。この場合のバブルＢは例えば、「金のなる木」に対応する第１象限では緑色のバブルＢＧＲ、「負け犬」に対応する第２象限ではオレンジ色のバブルＢＯＲ、「問題児」に対応する第３象限ではピンク色のバブルＢＰＩ、「花形」に対応する第４象限では青色のバブルＢＢＬで表示されることにより、「金のなる木」〜「問題児」の何れに、その機種が該当するか該当台数と併せて容易に把握できる。グラフ８１上のバブルＢの何れかをクリックした場合、そのバブルに対応する機種名・遊技情報を特定する値（アウトとＳＰ玉粗利との各値）・台数・日数がポップアップ表示される。
【００４４】
図８に示すグラフ８１上側の欄８３ａにおいて、「○台以上の機種を表示」するときの台数（デフォルトの台数：１）を指定すると、指定された台数以上の機種（遊技場Ａに設置された当該台数以上の機種）のみが、グラフ８１にてバブルＢで表示される。従って例えば、「５」台以上の機種を表示するように指定した場合、管理装置５は、その５台以上の機種の遊技情報を参照して、グラフレンジの最大値と最小値とを特定する。このように、グラフレンジを特定する際に、遊技機１に対する条件（機種の設置台数等）が満たされているかを判定し、その条件を満たさない遊技機１については、そのグラフレンジを特定するための対象（参照対象）から除外するようにしてもよい。遊技機１に対する条件として、遊技情報に対する閾値（例えばアウトであれば80000）を設けるようにしてもよく、その閾値以上の遊技機１についてはグラフレンジの参照対象から除外するようにしてもよい。
【００４５】
グラフ８１上側の欄８３ｂにおいて、「□機種名表示」のチェックボックスにチェックを入れると、グラフ８１上のバブルＢ各々に対応する機種名が表示される。
また、上側の欄８３ｃにおいて、「バブルサイズ変更」を選択すると、図９に示すバブルサイズ設定画面が表示される。バブルサイズ設定画面では、バブルサイズの基準（１台当りのバブル直径）をドット数にて指定することができる。これにより、同図の「ＯＫ」をクリックすると、グラフ８１上の全バブルＢを指定した基準に合わせた所期の大きさに変更することができる。また、同図に示すように「初期値に戻す」をクリックして、バブルサイズの基準を元に戻したり、「キャンセル」によりバブルサイズ設定画面から元のグラフ８１を表す画面に復帰させることができる。
【００４６】
更に、グラフ８１上側の欄８３ｄにおいて「グラフ＋データ表示」を選択すると、モニタ７においてグラフ８１と帳票の表（図８では非表示）とが左右に並べて表示される。この場合、表示される帳票の表は、図１１の画面右側の表１１２で示される帳票である。また、図８における左上部の「期間」の欄８２ａと「比較」する期間の欄８２ｄに、その比較期間を設定すると（「比較」のチェックボックスでチェックすると）、モニタ７においてグラフ８１´と比較するグラフ１１１とが上下に並べて表示される（図１１参照）。
【００４７】
図１１の画面上側のグラフ８１´は、図８のグラフ８１を横方向（Ｘ軸方向）と縦方向（Ｙ軸方向）とに縮小したものであり、両グラフ８１´，８１のグラフレンジは同じである。以下では、各グラフ或いは各画面において、実質的に同一の部分には同じ符号を付す等して説明を省略する。
【００４８】
（２）分布グラフ２（指定タイプ・比較期間有り）
図１１の画面右側の帳票の表１１２は、上記した参照期間（上欄８２ａで指定された期間）における「４円パチンコ」の遊技機１について「ハイミドル」に該当する遊技情報を抽出した表であり、その抽出した遊技情報はグラフ８１´で表わされる。即ち、この表１１２における左端の「□」は、グラフ８１´上に識別情報たるバブルＢを表示するか否かを機種毎に選択するためのチェックボックスを表す。その右隣りの「機種名」は、上記した区分（金のなる木、花形、…）で、遊技機１を機種毎に区分している。管理装置５は、アウトとＳＰ玉粗利とについて、夫々上記した基準情報と比較することで、アウトが高く且つＳＰ玉粗利が高い機種を「金のなる木（図７の区分１）」、アウトが高く且つＳＰ玉粗利が低い機種を「花形（区分２）」、アウトが低く且つＳＰ玉粗利が高い機種を「負け犬（区分３）」、アウトとＳＰ玉粗利とが何れも低い機種を「問題児（区分４）」に区分する処理を実行する。
【００４９】
同表１１２の「金のなる木」、「花形」、「負け犬」の欄１１２ａ、１１２ｂ，１１２ｃには、夫々の区分における「台数」「アウト」「ＳＰ玉粗利」の各平均値が表示される。各欄１１２ａ、１１２ｂ，１１２ｃの背景色は、グラフ８１´上のバブルＢと同様、各象限に対応付けた色で表される。同表１１２では、「問題児」を図示していないが、右側のスライドバーをスライドすることで表示可能である。また、同表１１２では、便宜上「ＺＺ、…（空欄）」として具体的な数値の記載を省略しているが、同表１１２の「台数」の数値はグラフ８１´上のバブルサイズに対応し、「アウト」と「ＳＰ玉粗利」との各数値は、グラフ８１´上のＸ座標とＹ座標とに夫々対応しているものとする。同表１１２において、マウス等で一の機種の欄をクリックした場合、グラフ８１´上の該当バブルＢに当該機種名とその遊技情報を特定する値とが表示されるようになっている。尚、表１１２は、参照期間の遊技情報を示すものであるが、以下の比較期間の遊技情報も併せて示すようにしてもよい。
【００５０】
図１１の画面下側のグラフ１１１について、上欄８２ｄで指定する比較期間は、画面上側のグラフ８１´について上欄８２ａで指定する参照期間と異ならせることにより、両期間の遊技情報を容易に比較することができる。この場合例えばデフォルト値として、参照期間が当日から７日分遡った期間に設定されているとき、比較期間は、参照期間よりも更に７日分遡った期間に設定される。或いは、比較期間の欄８２ｄに、参照期間と異なる期間（日付け）を直接的に入力する。これにより、管理装置５によって比較期間に対応した遊技情報が抽出され、参照期間の表１１２と同様、該当する機種を４つに区分した帳票の表（図示略）を作成することができる。尚、参照期間と比較期間とは、上部の欄８２ａのカレンダーキー８２ａ´と、その隣の欄８２ｄのカレンダーキー８２ｄ´とで夫々の期間を選択することができる。
【００５１】
また、グラフ８１´と同様、管理装置５は、グラフ１１１のグラフレンジの最大値と最小値とを、比較期間における最大の遊技情報と最小の遊技情報とに応じて特定するとともに、遊技情報の平均値に対応した箇所に境界線１１１ａ，１１１ｂを示し、又、比較期間における遊技情報に対応した座標位置に、機種毎の台数に合わせた大きさのバブルＢを配置したグラフ１１１を作成することができる。こうして、管理装置５は、参照期間における遊技情報と、比較期間における遊技情報とに基づく双方のグラフ８１´，１１１を、上下並べた表示態様で一覧出力する。
【００５２】
尚、グラフ１１１のグラフレンジ及び境界線１１１ａ，１１１ｂは、グラフ８１と比較し易いように、グラフ８１´のグラフレンジ及び境界線８１ａ，８１ｂと一致させたり、近似させたりする等、対応させるようにしてもよい（図１１参照）。また、参照期間と比較期間との間で、重複した期間が存する設定にしたり、選択期間と比較期間とを何れも、或いは何れか一方を２週間或いは１カ月に設定する等してもよい。
詳しい図示は省略するが、図１１の上側の欄８３ｅにおいて「グラフ拡大表示」を選択すると、画面右側の表１１２が省かれるとともに、これに伴い参照期間におけるグラフ８１´と比較期間におけるグラフ１１１とが左右に並ぶように配置が切り換えられて拡大表示される。
図１１の画面において、「比較」期間の欄８２ｄのチェックボックスでチェックを外すと、図８の画面に復帰する。そして、図８のタイプの欄８２ｃにて「全ＳＩＳタイプ」を選択すると、図１２の画面に遷移する。
【００５３】
（３）分布グラフ３（全タイプ）
図１２は、タイプの欄８２ｃにて「全ＳＩＳタイプ」を選択したときに、「ハイミドル」〜「その他」の全タイプを対象として出力される、グラフ１２１と帳票の表１２２とを左右に並べた表示画面を示している。
ここで、管理装置５は、複数のタイプの遊技機１を対象として、その遊技情報に対する基準情報をタイプ別に設定するものであり、図８のグラフ８１や図１１のグラフ８１´，１１１では、ハイミドルのタイプについて基準情報（アウトとＳＰ玉粗利との各平均値）を設定した上で、当該タイプの基準情報と遊技情報とを比較することにより、当該タイプの遊技機１を「金のなる木」〜「問題児」の何れかに区分したのであるが、図１２のグラフ１２１では、こうしたタイプ別の区分結果をまとめて配置したグラフであって、複数のタイプを対象として前記バブルＢを混合して配置したグラフとして出力している。
【００５４】
即ち先ず、図１２のグラフ１２１に対応する帳票の表１２２では、「金のなる木」「花形」…の区分で、遊技機１を機種毎に区分しており、上側から順に表わされるハイミドル、ミドル、ライトミドル、ライト、ミニマム、その他、の各タイプのうち、最も上側のハイミドルのタイプの部分を示している。同表１２２において、図示は省略するが、ミドル以降のタイプについても右側のスライドバーをスライドすることで表示可能としている。
【００５５】
この場合、ハイミドルの基準情報は、ハイミドルに該当する遊技情報を抽出して求めたアウトの平均値とＳＰ玉粗利の平均値、ライトミドルの基準情報は、ライトミドルに該当する遊技情報を抽出して求めたアウトの平均値とＳＰ玉粗利の平均値、…というように、基準情報はタイプ別に設定される。そして、管理装置５（区分手段）は、ハイミドルの遊技機１について、機種毎のアウトとＳＰ玉粗利とを、各々対応する当該ハイミドルのアウトの平均値（第１遊技情報に対応する基準情報）とＳＰ玉粗利の平均値（第２遊技情報に対応する基準情報）と比較することにより、表１２２の如く機種毎に「金のなる木」〜「問題児」の何れかに区分する。また、他のタイプ（ミドル〜）の遊技機１についても、機種毎のアウトとＳＰ玉粗利とを、当該タイプ別に設定されるアウトの平均値とＳＰ玉粗利の平均値とで比較することによりタイプ別に遊技機を区分する。
【００５６】
図１２のグラフ１２１では、その区分結果を把握可能なグラフレンジとするために、Ｘ軸の最大値と最小値とは、全タイプの機種を対象としたアウトの最大値と最小値とに応じて特定され、Ｙ軸の最大値と最小値とは、全タイプの機種を対象としたＳＰ玉粗利の最大値と最小値とに応じて特定される。グラフ１２１のグラフレンジは、図１０のグラフ１００の如く、全タイプのアウトの値とＳＰ玉粗利の値とを含むグラフレンジであって、グラフレンジの最大値と最小値とを概数としたときのグラフエリアが最小となるようなグラフレンジとして特定してもよい。本実施形態では、同グラフ１２１のＸ軸の最小値と最大値とが0と4000とに設定され、Ｙ軸の最小値と最大値とが0.00と2.00とに設定されるものとする。
【００５７】
このグラフ１２１では、タイプ別の基準情報に対応する境界線を表示しないものとする。もっとも、当該グラフレンジにおけるＸ軸の最大値と最小値との中間地点に位置する基準線１２１ａ及びＹの最大値と最小値との中間地点に位置する基準線１２１ｂを、全タイプの機種を対象としたアウトの平均値及びＳＰ玉粗利の平均値（右側の表１２２の「４円パチンコ平均」参照）を表すものとして設定してもよい。
【００５８】
そして、グラフ１２１では、全タイプの機種毎の座標データ（Ｘ，Ｙ）を、その値（アウト、ＳＰ玉粗利）に対応する点に合わせて、当該機種各々の台数に応じた大きさのバブルサイズでもって、区分毎の色で表示する。つまり、このグラフ１２１では、タイプ別の境界線を表示せず、全タイプの機種を対象として当該バブルＢを混合して配置しているが、これらのバブルＢは、上記のように緑色等の４色のバブルＢＧＲ、ＢＯＲ、ＢＰＩ、ＢＢＬで表示される。このグラフ１２１では、各タイプでアウトやＳＰ玉粗利の平均値が異なるため、花形の機種を表すバブルＢＢＬが金のなる木の機種を表すバブルＢＧＲよりも上方となる（ＳＰ玉粗利の値が大きくなる）等、タイプ別の基準情報の相違が反映され、タイプによる区分の違いや傾向等をも把握することができる。
尚、図１２のグラフ１２１では、図８のグラフ８１と同様、上側の欄８３ｅにて「グラフ拡大表示」を選択することにより、表１２２を省いてグラフ１２１をＸ軸方向に拡大して表示することができる。また、図１２の画面において、上側の欄８２ｅの「シェア」を選択すると、図１３の画面に遷移する。
【００５９】
（４）シェアグラフ１（全タイプ）
図１３は、「全ＳＩＳタイプ」について４区分での区分結果を表す、シェアグラフ１３１と帳票の表１３２とを左右に並べた表示画面を示している。
シェアグラフ１３１は、管理装置５により、各区分において何れのタイプに属するかにより振分けられた遊技機数を当該区分の全遊技機数で除したタイプの割合を示す４つの円グラフを有して構成される。帳票の表１３２は、シェアグラフ１３１の区分とタイプに対応しており、デフォルト（シェアグラフ選択時の初期設定）として、「金のなる木」の区分の遊技情報をタイプ別に表す。
【００６０】
図１３のシェアグラフ１３１において、各区分の円グラフを挟む位置に表示された、金のなる木の「20％」と「35機種」、負け犬の「40％」と「75機種」、問題児の「10％」と「25機種」、花形の「30％」と「65機種」は、遊技場Ａの全遊技機数に占める各区分に属する遊技機数の「比率」と各区分の「機種数」を示す。また、「金のなる木」の区分において、円グラフ右側の「ハイミドル７％」「ミドル3％」「ライトミドル4％」…の記載は、当該区分に属するタイプ別の遊技機数を夫々遊技場Ａの全遊技機数で除した比率、即ち、全遊技機数に占める割合を示し、当該円グラフは、当該区分に属するタイプ別の遊技機数を夫々当該区分の全遊技機数で除したタイプの比率、即ち当該区分の遊技機数に占める割合を示す。つまり、当該円グラフでは、金のなる木の「20％」を100％としたときの、右側の「ハイミドル7％」「ミドル3％」…の夫々が占める割合（ハイミドル：35％、ミドル15％、…）を表している。
【００６１】
同様に、負け犬、問題児、及び花形の、各区分の円グラフも、ハイミドル、ミドル…の何れのタイプに属するかにより振分けられた遊技機数を、各々の区分の全遊技機数で除したタイプの割合を表している。各円グラフは、各区分に対応付けた色と同じ色或いは同系色の色で表示され、ハイミドル、ミドル…の順に次第に色を薄くする（或いは明度や彩度をタイプ毎に異ならせる）表示により各タイプの割合を把握し易くしている。
【００６２】
シェアグラフ１３１では、同図に示すように例えばマウス等で「花形」の円グラフ中の「ハイミドル」の表示領域をクリックして選択したとき、その選択されたタイプの基準情報として「アウト基準：1146、ＳＰ玉粗利基準：0.16」が表示される。また、このように「花形」の区分の円グラフが選択されたとき、右側の表１３２でデフォルトとして表示されていた「金のなる木」の区分の遊技情報が、選択された「花形」の区分の遊技情報に切替わる。このため、表１３２では、４つの区分のうち、選択された区分の遊技情報を、スペックに分けて表示させることができ、その区分に属する機種の詳細を把握することができる。
上記した図１３の画面において、上側のタイプの欄８２ｃにて「ハイミドル」を選択すると、図１４の画面に遷移する。
【００６３】
（５）シェアグラフ２（指定タイプ）
図１４は、上側のタイプの欄８２ｃにて「ハイミドル」を選択したときに、その選択されたハイミドルの区分結果を表す、シェアグラフ１４１と帳票の表１４２とを左右に並べた表示画面を示している。
シェアグラフ１４１において、各区分の円グラフ下側に表示された、金のなる木の「16機種」、負け犬の「9機種」、問題児の「3機種」、花形の「18機種」は、各区分に占める「ハイミドル」の「機種数」を示す。また、各区分の円グラフの割合もハイミドルの分にのみ対応した表示がなされる点で、図１３のグラフ１３１と相違する。
【００６４】
このグラフ１４１では、例えばマウス等で「花形」の区分における円グラフの表示領域をクリックして選択したとき、その右側の表１４２でデフォルトとして表示されていた「金のなる木」の区分の遊技情報が、選択された「花形」の区分の遊技情報に切替わる（同図では切替後の「花形」の区分を図示）。このように、マウス等を含む管理装置５（選択手段）は、区分対象となる４つの区分の円グラフの内、選択された区分に属する遊技機１の遊技情報を表１４２として出力する。また、上記のように、４つの区分の円グラフの内、「花形」の区分（第１区分）の円グラフが選択された場合に、出力する表１４２は、更に遊技機１を「超花形」と「準花形」とに区分した遊技情報の表１４２として出力する。
尚、第１区分以外の第２区分は、花形以外の区分（金のなる木、負け犬、問題児）に相当するものであり、花形以外の区分の円グラフが選択された場合、並びにデフォルトとして金のなる木の区分が表示される場合には、何れも更に遊技機１を区分することなく遊技情報を出力するようになっている。尚、第１区分と第２区分とのいずれにするかは設定により変更可能としている。
【００６５】
ここで、表１４２の「超花形」と「準花形」といった更なる区分について、図１５も参照しながら説明する。
先ず、「超花形」や「準花形」といった区分は、ＳＰ玉粗利とこれに対する基準情報との比較に基づく区分の数を、アウトとこれに対する基準情報との比較に基づく区分の数よりも多くするように区分したものである。
例えば、図１５の左側のグラフ１５１では、実線で示すように「金のなる木」〜「問題児」に区分する境界線１５１ａ，１５１ｂに加え、破線で示すように、花形の区分を「超花形」と「準花形」とに区分し且つ問題児の区分を「超問題児」と「準問題児」とに区分する境界線１５１ｃ、並びに金のなる木の区分を「超金のなる木」と「準金のなる木」とに区分し且つ負け犬の区分を「超負け犬」と「準負け犬」とに区分する境界線１５１ｄとが設定される。
【００６６】
このグラフ１５１において、境界線１５１ｂを表す第１基準点（ＳＰ玉粗利や玉粗利の平均値）が「0.15円」であると仮定する。このとき、上側の境界線１５１ｄは、第１基準点に対して＋0.10円となる「0.25円」の位置にあり、下側の境界線１５１ｃは、第１基準点に対して−0.10円となる「0.05円」の位置にあるものとする。このような境界線１５１ｃ，１５１ｄの設定は、図７の欄７２で「Ｙ軸基準点」に関して「指定値」を選択し、第１基準点の値に対して加減算する第２基準点の値（図７では図示略）として、「0.10円」を入力することにより行う。
或いは、図７の欄７２で「Ｙ軸基準点」に関して「指定値」を選択し、第１基準点に対して加減算する第２基準点の比率（図７では図示略）として、例えば「50％」を入力することにより行う。この場合、図１５の右側のグラフ１５２に示すように、上側の境界線１５２ｄは、第１基準点（0.15円）に対して＋50％となる「0.23円」の位置に設定され、下側の境界線１５２ｃは、第１基準点に対して−50％となる「0.08円」の位置に設定される。
【００６７】
尚、右側のグラフ１５２におけるＹ軸の最大値0.34円と最小値0.04円とは、１つ前（第１基準点側）に50％分を加減算して算出する。例えば0.34円は、１つ前の基準値が0.23円（≒0.225円）なので、0.225円＋0.225円×50%＝0.225円＋0.1125円＝0.3375円（≒0.34円）として求められる。一方、0.04円は、１つ前の基準値が0.08円（≒0.075円）なので、0.075円−0.075円×50％＝0.075円−0.0375円＝0.0375（≒0.04円）として求められる。こうした、Ｙ軸の最大値0.34円と最小値0.04円とは、区分する際の基準点としては利用せず、グラフ１５２のグラフレンジの最大値と最小値とに対応するものとして特定してもよい（利用してもよい）。何れにしても、上記したように第１基準点の値に対して加減算する第２基準点の値は、ＳＰ玉粗利の基準情報をアウトの基準情報よりも多く設定するものであり、図１５のグラフ１５１，１５２の如く８区分で遊技機１を区分することができる。
また、図７の欄７２で「Ｙ軸基準点」や「Ｘ軸基準点」に関して「オート」に設定した場合でも、８区分が選択されたとき（図８等の上側の欄８２ｆの「８区分」参照）、各基準点（各基準情報）を自動的に設定し、後述する図１８の如く８区分で遊技機１を区分した分布グラフ１８１や、図１７の如く８区分で遊技機１を区分した帳票の表１７１を出力するようになっている。
【００６８】
（６）遊技情報一覧画面１，２（４区分・一期間、８区分・一期間）
ここで、図１６の表１６１及び図１７の表１７１は、夫々４区分及び８区分として遊技機１を区分したときの帳票（遊技情報一覧画面）を示している。これらの表１６１，１７１は、夫々の図の上側の欄８２ｂ，８２ｃに示すように、「４円パチンコ」の遊技機１について「ハイミドル」に該当する遊技情報を抽出した帳票である。
【００６９】
このうち、図１６の表１６１は、「金のなる木」〜「問題児」の４区分で遊技機１を機種毎に区分しており、遊技情報については、上記した表１１２等（図１１等参照）の「台数」「アウト」「ＳＰ玉粗利」に加え、「スタート」「入賞Ｓ」「ＢＹmin」「ベース」「補Ｔ１Ｙ」「玉粗利指標」「割数指標」「利益率指標」といった項目も表示する。「金のなる木」〜「問題児」の各欄１６１ａ〜１６１ｄには、夫々の区分における遊技情報の各項目についての平均値が表示され、各欄１６１ａ〜１６１ｄの背景色は、各区分に対応付けた色で表される。尚、表１６１では、便宜上、「ＢＹmin」や「玉粗利指標」等重複した項目を記載しているが、その重複した項目の表示はもとより、その重複した項目に代えて他の遊技情報の項目を選択して表示させることができる。尚、同項目の「玉粗利指標」は、原価率を考慮した再プレイによる損益を考慮した玉粗利に相当し、実績値、理論値のどちらでも採用可能である。
【００７０】
これに対し、図１７の表１７１は、図１６の表１６１と次の点で相違する。即ち、図１７の表１７１は８区分で遊技機１を区分しており、金のなる木は「超金のなる木／準金のなる木」、花形は「超花形／準花形」、負け犬は「超負け犬／準負け犬」、問題児は「超問題児／準問題児」で夫々区分されている。同表１７１では、「超問題児」と「準問題児」を図示していないが、右側のスライドバーをスライドすることで表示可能である。「超金のなる木」〜「準問題児」の各欄１７１ａ〜には、夫々の区分における遊技情報の各項目についての平均値が表示される。各欄１７１ａ〜の背景色のうち、「準…」については各区分に対応付けた色、「超…」については当該各区分に対応付けた色を濃くした色で表されるが、詳しくは図１８で説明する。
上記した図１７の画面において、上側の「グラフ」の欄８２ｇにて分布グラフを選択すると、図１８の画面に遷移する。
【００７１】
（７）分布グラフ４（８区分・指定タイプ）
図１８の画面右側の表１８２は、図１７の表１７１における遊技情報の一部の項目（台数、アウト、ＳＰ玉粗利）を示しており、表１７１と同様、当該項目について８区分で機種毎に遊技機１を区分している。尚、図１８の表１８２と図１７の表１７１とで、参照期間（上欄８２ａ参照）が異なり、各区分に属する機種も相違するが、参照期間が一致するとき、各区分に属する機種は一致する。
図１８の画面左側のグラフ１８１は、そのグラフレンジにおけるＸ軸の最大値と最小値とが、アウトの最大情報と最小情報とに応じた「0、4615」に設定され、Ｙ軸の最大値と最小値とが、ＳＰ玉粗利の最大情報と最小情報とに応じた「1.24、−0.73」に設定されている。また、グラフ１８１において、太線で表される境界線１８１ａと境界線１８１ｂとは、アウトの平均値2300とＳＰ玉粗利の平均値0.27とに対応した箇所に表示されるものとする。
【００７２】
そして、グラフ１８１において、破線で示す上側の境界線１８１ｄは、ＳＰ玉粗利の平均値0.27と最大値1.24との中間の値（或いは図１５のグラフ１５２で説明した＋50％の値）に対応する箇所に表示され、下側の境界線１８１ｃは、ＳＰ玉粗利の平均値0.27と最小値−0.73との中間の値（或いは−50％の値）に対応する箇所に表示される。こうして、グラフ１８１におけるバブルＢは、境界線１８１ａ〜１８１ｄにより区分され、そのうち超金のなる木の区分では濃い緑色のバブルＢＧＲ´、準金のなる木の区分では緑色のバブルＢＧＲ、超花形の区分では濃い青色のバブルＢＢＬ´、準花形の区分では青色のバブルＢＢＬ、超負け犬の区分では濃いオレンジ色のバブルＢＯＲ´、準負け犬の区分ではオレンジ色のバブルＢＯＲ、超問題児の区分では濃いピンク色のバブルＢＰＩ´、準問題児の区分ではピンク色のバブルＢＰＩで表示される。
また、グラフ１８１には、例えば超金のなる木の区分に「8％」、準金のなる木の区分に「12％」というように区分毎に割合が示されており、それらの割合は「ハイミドル」の全遊技機数を100％としたときの、各々の区分に属する遊技機数の比率を表す。
【００７３】
尚、図１８のグラフ１８１では、便宜上、境界線１８１ａ，１８１ｂの交点ｐ１を、当該グラフレンジの中心（最大値と最小値との中間地点）に示したが、図８の境界線８１ａ，８１ｂと同様、実際のアウトやＳＰ玉粗利の平均値に応じて、境界線１８１ａ，１８１ｂがグラフレンジの中間地点以外の箇所にずれるとともに、破線で示す１８１ｄ，１８１ｃも、当該境界線１８１ｂのずれに応じてＹ軸方向へずれる表示態様となることは、勿論である。
また、図１８のグラフ１８１では、図８のグラフ８１等と同様、上側の欄８３ｅにて「グラフ拡大表示」を選択することにより、表１８２を省いてグラフ１８１をＸ軸方向に拡大して表示させることができる。
更に、図１８の画面において、上側の欄８２ｅの「シェア」を選択すると図２０の画面に遷移する。以下の（８）では、８区分におけるシェアグラフとしての、図２０のグラフ２０１並びに図１９のグラフ１９１を中心に説明する。尚、図１９のグラフ１９１は、図２０の画面上側の欄８２ｃで「全ＳＩＳタイプ」を選択したときに表示される（遷移する）。
【００７４】
（８）シェアグラフ３，４（８区分・全タイプ、８区分・指定タイプ）
図１９は、「全ＳＩＳタイプ」について８区分での区分結果を表す、シェアグラフ１９１と帳票の表１９２とを左右に並べた表示画面を示している。
図１９のシェアグラフ１９１において、各区分の円グラフを挟む位置に表示された比率と機種数（金のなる木の「20％」と「35機種」等）は、図１３のシェアグラフ１３１と同様、遊技場Ａの全遊技機数に占める各区分に属する遊技機数の「比率」と各区分の「機種数」を示す。また、各区分の円グラフは、また、「金のなる木」の区分において、円グラフ中の「超金のなる木12％」「準金のなる木8％」の記載は、８区分のうち当該夫々の区分に属する遊技機数を遊技場Ａの全遊技機数で除した比率を示し、当該円グラフは、当該夫々の区分に属する遊技機数を両区分の全遊技機数で除したタイプの比率を示す。よって、当該円グラフでは、金のなる木の「20％」を100％としたときの、「超金のなる木12％」と「準金のなる木8％」との夫々が占める割合（60％と40％と）を表している。
【００７５】
同様に、負け犬、問題児、及び花形の区分の円グラフも、更に区分した８区分うちの何れの区分に属するかにより振分けられた遊技機数を、４区分における夫々の区分の全遊技機数で除したときの、「超…」「準…」の両割合を表している。各円グラフは、８区分に夫々対応付けられた色で表示され、各区分における割合を把握し易くしている。
尚、図１９の右側の表１９２は、８区分で遊技情報をタイプ別に表すようになっており、左側のグラフ１３１で「超金のなる木」の区分の円グラフが選択され、「超金のなる木」の区分の遊技情報に切替わった状態を例示している。
【００７６】
これに対し、図２０のシェアグラフ２０１は、「ハイミドル」のタイプの区分結果を表わしており、各区分の円グラフ下側に表示された「機種数」はハイミドルの機種数を示す。また、また、「金のなる木」の区分において、円グラフ右側の「超金のなる木8％」「準金のなる木3％」の記載は、８区分のうち当該夫々の区分に属するハイミドルの遊技機数を夫々遊技場Ａの全遊技機数で除した比率を示し、当該円グラフは、当該夫々の区分に属するハイミドルの遊技機数を夫々「金のなる木」の区分の全遊技機数で除したタイプの比率を示す。つまり、当該円グラフでは、金のなる木の「20％」を100％としたときの、右側の「超金のなる木8％」と「準金のなる木3％」との夫々が占める割合（40％と15％と）を表している。
【００７７】
同様に、負け犬、問題児、及び花形の、各区分の円グラフも、更に区分した８区分のうちの何れの区分に属するかにより振分けられたハイミドルの遊技機数を、４区分における夫々の区分の全遊技機数で除したときのハイミドルの割合（「超…」・「準…」の両割合）を表している。
尚、図２０の右側の表２０２は、デフォルトとして「超金のなる木」と「準金のなる木」との区分の遊技情報が表示されるようになっており、同図における４つの区分の円グラフの内、例えば「花形」の区分の円グラフが選択された場合に、同図の「超花形」と「準花形」との区分の遊技情報が表示される。
【００７８】
（９）遊技情報一覧画面３（４区分・複数期間）
図２１の帳票の表２１１について、図１６の表１６１と異なるところを説明する。ここで、図２１の画面と図１６の画面とは、図示しない選択画面での選択により表示されるものとし、その選択画面で「期間」が選択されたとき、図１６の通常の表１６１が出力され、その選択画面で「推移」が選択されたとき、図２１に示す各期間の表２１１が一覧出力されるものとする。
【００７９】
即ち例えば、図２１の上欄８２ａに示す参照期間「2/1(木)〜3/7(水)」は、表２１１の「2/1〜2/7」「2/8〜2/14」「2/15〜2/21」「2/22〜2/28」「3/1〜3/7」というように、管理装置５により７日分ずつの遊技情報として集計するために、それら７日分ずつの各期間（一の期間と他の期間を含む期間）として自動的に設定される。
そして、管理装置５は、同図２１に示すように、「全ＳＩＳタイプ」について（ハイミドル、ミドル…といったタイプ別に）機種を表示して、その管理対象とする一の期間（例えば2/1〜2/7）における遊技情報（アウト、ＳＰ玉粗利）と基準情報（アウトの平均値、ＳＰ玉粗利の平均値）とを比較して遊技機１を区分する一方、他の期間（例えば2/8以降の各期間）における遊技情報と基準情報とを比較して遊技機を区分し、「2/1〜2/7」における区分結果と、「2/8以降の各期間」における区分結果とを一覧出力する。また、表２１１では、便宜上、「2/1〜2/7」におけるハイミドルの区分結果について何れの機種も「金」（金のなる木の略称（図７参照））で表示し、「2/8以降の各期間」におけるハイミドルの区分結果について機種毎に「花」「負」「問」の何れかで表示しており、その区分結果の推移を表す一覧表として把握することができる。ハイミドル以外のタイプの区分結果についても、ハイミドルと同様に「金」〜「問」の何れかの略称が、夫々対応する色（背景色）で表示され、各期間の区分結果の推移を表すことができる。
【００８０】
尚、表２１１では、上記したように便宜上「ＺＺ、…（空欄）」としているが、実際の数値が表示される。また、各数値は、７日間の移動平均として求めることができ、詳しくは後述する。また、表２１１では、参照期間を一週間単位で５つの期間に分けたが、一週間を超える期間又は一週間未満の期間を単位として、複数の期間の区分結果を一覧出力する構成であればよい。また、参照期間は、カレンダーキー８２ａ´を使用する等して、一の期間と他の期間とを任意に、或いは自動的に設定するようにしてもよい。更に、区分結果は、上側の欄８２ｆで「８区分」を選択することにより、「超金」〜「準問」からなる８つの略称で表示させることができる。
上記した図２１の画面において、上側の「グラフ」の欄８２ｇにて推移グラフを選択すると、図２２の推移グラフ２２１を表示させる。
【００８１】
（１０）推移グラフ１〜３（４区分、８区分、指定タイプ）
図２２の推移グラフ２２１と、図２３の推移グラフ２３１とは、時間経過により切替表示（ローテーション表示）される画面であり、モニタ７上でサブウィンドウとして表示される。このうち、図２２の推移グラフ２２１は、上記した４区分における「金のなる木」〜「問題児」の台数比率をＹ軸、期間をＸ軸としたときの折れ線グラフである。図２３の推移グラフ２３１は、８区分における「超金のなる木」〜「準問題児」の台数比率をＹ軸、期間をＸ軸としたときの折れ線グラフである。即ち、推移グラフ２２１の台数比率は、上記した図１９のシェアグラフ１９１における金のなる木の「20％」等の比率に対応し、推移グラフ２３１の台数比率は、同シェアグラフ１９１における超金のなる木の「12％」等の比率に対応しているが、両推移グラフ２２１，２３１は、何れも過去３１日分の日毎推移を７日間の移動平均で表すものである。
【００８２】
ここで、推移グラフ２２１，２３１におけるＸ軸の期間（3/18〜3/24、…）のとり方と、推移グラフ２３１におけるＸ軸の期間（3/31、4/7、…）のとり方とを説明の便宜上、異ならせているが、両期間は、何れかの一方の表示態様（表示内容）に合わせて過去３１日分の期間をとるものとする。この場合の台数比率は、両推移グラフ２２１，２３１において、７日毎の移動平均値を繋ぎ合せた折れ線グラフとなる。
両推移グラフ２２１，２３１上側の「４Ｐ」と「全体」とは、それらのグラフが「４円パチンコ」と「全ＳＩＳタイプ」とに対応した台数比率であることを表わし、左側の「花形○○％」と「問題児○○％」とは、それらグラフとともに常時表示され、監視することができる。尚、推移グラフ２２１，２３１の何れかの画面において、そのグラフ部分をクリックすると帳票の表を表わす画面に遷移する。このとき、クリックした区分（選択した４区分又は８区分のうちの何れかの区分）の帳票であって、その期間は、当日を含まない７日間の移動平均の過去３１日分（１日前〜３１日前）の日毎推移を表示する（図２１参照）。
【００８３】
また、両推移グラフ２２１，２３１の画面において左方或いは右方の余白部分をクリックすると、図２４の画面に遷移する。即ち図２４に示すように、同図の推移グラフ２４１は、「ハイミドル」のタイプについて８区分での台数比率の推移を表わしており、同画面の左方の部分２４１ａ或いは右方の部分２４１ｂをクリックして画面遷移させることで、各タイプの台数比率を表わすことができる。尚、図２２〜図２４では、４区分の全部或いは８区分の全部の区分の台数比率の推移を表わすようにしたが、４区分の一部或いは８区分の一部（例えば準花形と準問題児だけ）を選択して、その選択した区分だけの台数比率の推移を表わすようにしてもよい。
【００８４】
更に、本実施形態の管理装置５（判定手段）は、上記した区分対象となる４区分或いは８区分のうち予め設定された特定の区分に、その区分の対象となる遊技機１が属するようになったかを、前記過去３１日分つまり月単位（第１期間単位）で判定する。一方、特定の区分に属していた遊技機が当該特定の区分から脱したかを、第１期間よりも短い前記７日分つまり週単位（第２期間単位）で判定し、報知するようになっている。係る判定や報知内容について図２５〜図２９を参照しながら説明する。
【００８５】
（１１）区分に関する各種通知画面(A)〜(F)と詳細表示画面(a)〜(f)
(A)「超問題児」への移行通知画面
図２５は、「超問題児」の区分に遊技機１が属するようになった場合に、モニタ７上でサブウィンドウとして表示される（閉店後等にＰＯＰアップ表示される）通知画面２５Aを示している。即ち管理装置５では、特定の区分としての超問題児に関し、区分の設定に関わらず８区分での判定を行うようになっており、月間の移動平均（３１日移動平均）でアウトとＳＰ玉粗利とを夫々の基準値と比較することで当該区分を監視する。これにより、「超問題児」に遊技機１が属するようになった否かを当該月単位（第１期間単位）で判定する。この場合、第２遊技情報たるＳＰ玉粗利については、その基準値のうち最も低い基準値（つまり例えば図１５の境界線１５１ｃ，１５２ｃに対応する前記第２基準点）との比較結果に応じて区分される区分を、特定の区分として前記判定が行われる。
【００８６】
これにより、該当する機種Ａがあれば、通知画面２５Aのコメント欄Comに「ＣＲパチンコ新台Ａ  超問題児になりました！  注意してください！」と表示する（報知する）とともに、該当する機種Ａの「アウト  ○○個」「ＳＰ玉粗利  ○○円」も一緒に表示する。尚、該当する機種が複数存する場合、設置台数が最も多い一機種（代表機種）を表示対象とする。また、設置台数が設定値未満の機種は、通知設定画面（図示略）で報知対象外とする設定（例えばデフォルト値で当該設定値を５台以上とする設定）を行うことができるものとする。
【００８７】
また、管理装置５は、特定の区分に遊技機１が属するようになった場合（通知画面２５１で報知された場合）、その属するようになった日を起点として所定期間経過するまでは、再度特定の区分に遊技機１が属するようになったかの判定を抑制する。具体的には、通知画面２５Aは、日々同じ機種の通知内容となるとき、２日目は通知を停止し、当該機種について最初の通知日を起点として６日間は通知しない。そして７日間後に、その週間の移動平均（再度の判定）で機種Ａが「超問題児」のままで他の区分に移行しない場合に再通知をせず、他の区分に移行した場合にこれを通知する（下記(B)の移行通知画面で通知する）。
最初の通知から７日後に他の区分に移行しない場合、最初の通知から１４日後に他の区分に移行すればこれを通知する。以降も含め７日毎に再度の判定を行い、他の区分に移行した場合に限り、これを通知するものとする。また、一旦、他の区分に移行してから再度「超問題児」となっても、最初の通知から所定期間（例えば３０日）経過するまでは、その「超問題児」に属するようになったかの判定を抑制し、当該３０日経過後に「超問題児」に属していれば、通知画面２５Aで通知する。この通知を行うまでの所定期間は３０日に限らず、前記通知設定画面の同一機種再検知設定（図示略）で任意の日数を設定できるものとする。
【００８８】
尚、上記したように、ＳＰ玉粗利だけで区分し、アウトだけで区分するというように、少なくとも一種類の遊技情報により区分する場合においても、その区分のうちの何れかの区分を特定の区分として前記判定を行うことができる。また、こうした各区分の基準値について、前記通知設定画面では、「オート」と「指定値」との選択的な設定が可能であり、各基準値を自動でも手入力でも設定可能とされている（図７参照）。更に、前記通知設定画面では、各基準値について「全ＳＩＳタイプ」の平均値とする設定と、タイプ別の平均値とする設定とを選択可能とされている。
通知画面２５A以外にも、前記ＰＯＰアップ表示により表示可能な、区分に関する各種の通知画面が用意されている。以下では、それら通知画面について図示を省略するが、便宜上、当該通知画面に符合「２５B〜２５F」を付して、通知画面２５Aと異なるところを簡単に説明する。
【００８９】
(B)「超問題児」からの移行通知画面
この通知画面２５B（図示略）は、「超問題児」の区分に属していた遊技機１が当該区分から脱した場合に表示される。管理装置５では、月単位で超問題児と判定された遊技機１について、週単位（第２期間単位）で超問題児以外の区分に属するようになった否かを判定する。つまり、上記の通知画面２５Aで通知された機種Ａについて、７日後に週間の移動平均で超問題児の区分から超問題児以外の区分に移行した場合に、「超問題児」からの移行通知画面２５Bが表示される。
このとき、該当する機種Ａについて、当該移行通知画面のコメント欄Comに「ＣＲパチンコ新台Ａ  超問題児から脱出成功！  育成に成功しました！」と表示するとともに、「今週  ○○％」と「先週  ○○％」として図２３等で説明した超問題児の台数比率を表示する。
【００９０】
上記通知画面２５A，２５Bのように、管理装置５は、「超問題児」といった特定の区分に遊技機１が属するようになったか、及び特定の区分に属していた遊技機１が当該特定の区分から脱したかについて、夫々特定した場合に対応する通知画面２５A，２５Bで報知するように構成されており、当該特定の区分に遊技機１が属するようになったかを報知する場合には移行元の区分（後述する図２６の「移行元」参照）を報知し、当該特定の区分から脱したかを報知する場合には移行先の区分（図２７の「移行先」参照）を報知するようになっている。
尚、通知画面２５A，２５Bのコメント欄Comには、管理装置５において区分に応じて予め定められている複数種類のコメントのうちの何れかかがランダムに抽出されて表示される。例えば、通知画面２５Aのコメントについては、図２９に示すように「超問題児」や「超花形」といった特定の区分毎に対応付けられた「色」を付すとともに、特定の区分毎の番号（No１，２，…，１０）に夫々異なるコメントが対応付けられた第１コメントテーブルが予め記憶されている。この第１コメントテーブルを利用して、コメント欄Comに色を付したり、ランダムにコメントを表示させることができる。
【００９１】
また、「超問題児」からの移行通知画面２５Bでは、通知画面２５Aと同様、該当する機種が複数存する場合、代表機種だけを表示対象とする。また、移行通知画面２５Bは、日々同じ機種の通知内容となるとき、２日目はその通知を停止し、最初の移行通知画面２５Ｂによる通知日から７日間後の再度の判定で機種Ａが「超問題児」以外の区分にあっても、再度、同じ通知を回避すべく当該機種Ａは通知の対象外とする。更に、上記した「超問題児」からの移行通知画面２５Bと、後述する「問題児」台数比率推移通知画面２５Dとが重複して表示されるようなケースでは、前者の通知画面２５Bを優先して通知するものとする。
【００９２】
(C)「問題児」台数比率オーバー通知画面
この通知画面２５C（図示略）は、上記した「問題児」の台数比率が設定値以上の場合に表示され、当該通知画面２５Cのコメント欄Comには「問題児が非常に多くなっています。注意して下さい。」と表示される。管理装置５では、撤去対象となる問題児を早めに管理者に提示すべく、区分の設定に関わらず「問題児」を４区分で判定する。台数比率の設定値は、前記通知設定画面で手入力された値でもデフォルト値でもよいが、例えば後述する図２８の「問題児」の欄の如く例えば２０％「以上」に設定されるものとする。この通知画面２５Cでは、台数比率により「問題児」の区分に遊技機１が属するようになったかを月単位の移動平均で判定することに基づき、その設定値をオーバーして異常である旨を報知する。この場合、通知画面２５Cには「今週  ○○％」と「先週  ○○％」として週単位の台数比率が表示されるが、今月と先月との月単位の台数比率を表すようにしてもよい。
【００９３】
この通知画面２５Cのコメント欄にも、管理装置５において区分に応じて予め定められている複数種類のコメントのうちの何れかがランダムに抽出されて表示される。例えば、図２８に示すように「超問題児」や「超花形」といった特定の区分毎に付与された番号（No１，２，…，１０）と、番号毎に設定可能な「基準」であって各区分の基準値を「全ＳＩＳ」タイプの平均値又は「タイプ別」の平均値とする「基準」と、台数比率に対する番号毎の設定値％の範囲を表す「以上」及び「未満」と、各区分或いは番号に対応付けられる「色」と、番号毎に異なるコメントとを規定した第２コメントテーブルが予め記憶されている。このコメントテーブルを利用して、コメント欄Comに色を付したり、ランダムにコメントを表示することができ、問題児の台数過多乃至台数比率の増加を報知することができる。尚、本実施形態において、番号「毎」や区分「毎」等として用いている「毎」は全ての番号等に対応する必要はなく、其々に対応していればよいので、適宜「単位」と置き換えてもよい。
【００９４】
尚、通知画面２５Cは、上記した台数比率に代えて、「問題児」の区分の台数が予め定められた設定値よりも多くなることをもって、当該特定の区分に遊技機１が属するようになったと判定して表示するようにしてもよい。
また、上記した通知画面２５Cは、日々同じ通知内容となるとき、２日目はその通知を停止し、最初の通知から７日間後の再度の判定でも、月単位の移動平均で「問題児」の台数比率が設定値以上の場合に、再度表示される。この再度の表示（オーバー通知）は、７日毎の判定において、当該月単位の移動平均での台数比率が設定値以上の場合、毎回行われるものとする。また、「日々同じ通知内容」とは、コメント欄Comに表示されるコメントの設定範囲が同じ場合を称するものであり、図２８の「問題児」では、No１〜４のように設定値が同じときの通知内容を指す。
【００９５】
これに対し、最初の通知から７日後に週単位の移動平均と月単位の移動平均との双方で台数比率が設定値未満になれば、改善した旨の通知画面（下記(D)の「問題児」台数比率推移通知画面２５D（図示略））を表示する。台数比率が７日後に週単位の移動平均で設定値未満になっても、月単位の移動平均で設定値以上の場合に、改善した旨の通知を行うと、上記したオーバー通知と矛盾が生じるからである。また、台数比率が７日後に週単位の移動平均で設定値以上になっても、月単位の移動平均で設定値未満の場合に、改善した旨の通知を行っても、オーバー通知と矛盾が生じることとなる。
このように、週単位の移動平均と月単位の移動平均との双方で、台数比率が設定値未満となるまで（改善するまで）、７日毎に係る判定を行い、改善すれば次の通知画面２５Dで通知する。尚、オーバー通知は、上記した条件で毎回通知対象となる。
【００９６】
(D)「問題児」台数比率推移通知画面
この通知画面２５D（図示略）は、「問題児」の台数比率がオーバーしていた遊技機１について、改善した旨（当該問題児から脱した旨）を表すものとして表示される。即ち、管理装置５では、台数比率において問題児（特定の区分）に属していた遊技機１が当該問題児から脱したかを台数比率の設定値を基に判定する場合、上記の如く週単位の移動平均による判定と月単位の移動平均による判定との双方で、台数比率が設定値未満となる判定結果に基づき改善したと判定する。このときの通知画面２５Dには、そのコメント欄Comに「先週より「問題児」が減少してバランスの良い状態です。この状態をキープしましょう！」と表示されるとともに、「今週  ○○％」と「先週  ○○％」として今週と先週の問題児の台数比率が表示される。
尚、この通知画面２５Ｄは、日々同じ通知内容となるとき、２日目はその通知を停止し、７日間後の再度の判定でも同じ推移となる場合には、通知の対象外とされる。
【００９７】
(E)「超花形」台数比率オーバー通知画面
この通知画面２５E（図示略）は、「超花形」の台数比率が設定値以上の場合に表示され、当該通知画面２５Eのコメント欄Comには、図２８の前記第２コメントテーブルにおける複数種類のコメントのうちの何れか（例えば「超花形が増えています！  もう少し粗利を取って下さい！」）が表示される。ここで、管理装置５では、「花形」は甘過ぎることを提示するため、「超花形」に限定して提示する意図で、区分の設定に関わらず「超花形」を８区分で判定する。台数比率の設定値は、図２８の「超花形」の欄に示すように例えば１０％以上に設定される。この通知画面２５Eでは、台数比率により「超花形」の区分に遊技機１が属するようになったかを月単位の移動平均で判定することに基づき、その設定値をオーバーして異常である旨を報知する。この場合、通知画面２５Eには「今週  ○○％」と「先週  ○○％」として台数比率が表示される。
【００９８】
尚、通知画面２５Eは、上記した台数比率に代えて、「超花形」の区分の台数（つまり特定の区分に属する遊技機数）が予め定められた設定値よりも多くなることをもって、その台数オーバーで異常になったと判定して表示するようにしてもよい。
また、この通知画面２５Eは、上記した「問題児」に係るオーバー通知画面２５Cと同様、７日毎の再度の判定において、月単位の移動平均で超花形の台数比率が設定値以上の場合、毎回表示される。
更に、上記した「問題児」と同様、台数比率において「超花形」に属していた遊技機１が当該超花形から脱したかを７日毎に判定する場合、週単位の判定と月単位の判定との双方の判定結果に基づき判定し、改善すれば次の通知画面２５Fで通知する。換言すれば、台数比率（或いは特定の区分に属する遊技機数）に係る遊技機数情報が異常になったかを第１期間単位で判定する一方、当該遊技機数情報が正常に戻ったかを、第２期間単位の判定と第１期間単位の判定との双方の判定結果に基づき判定し、正常であれば通知画面２５Fに遷移する。このように、遊技機数情報は、特定の区分に属する遊技機数、或いは対象となる遊技機数のうち当該特定の区分に属する遊技機数の割合を示すものであり、台数比率だけでなく遊技機数そのものを対象として、正常・異常の判定を行うことができる。
【００９９】
(F)「超花形」台数比率推移通知画面
この通知画面２５F（図示略）は、「超花形」の台数比率がオーバーしていた遊技機１について、改善した旨を表すものとして表示される。つまり、管理装置５では、台数比率において「超花形」に属していた遊技機１について、週単位の移動平均による判定と月単位の移動平均による判定との双方で、台数比率が設定値未満となると、当該オーバーを解消したと判定して、通知画面２５Fを表示する。当該通知画面２５Fには、そのコメント欄Comに「「超花形」が減少してバランスの良い状態です。この状態をキープしましょう！」と表示されるとともに、「今週  ○○％」と「先週  ○○％」として今週と先週の超花形の台数比率が表示される。
尚、この通知画面２５Fは、日々同じ通知内容となるとき、２日目はその通知を停止し、７日間後の再度の判定でも同じ推移となる場合には、通知の対象外とされる。
【０１００】
以下の(a)〜(f)の詳細表示画面２６a〜２６fは、上記した各種通知画面２５A〜２５Fをマウス等でクリックしたときにモニタ７上で最前面に表示される画面であり、説明の便宜上、詳細表示画面２６a〜２６fのうち、２つの詳細表示画面２６aと２６bとを図２６と図２７とに表し、他の詳細表示画面２６c〜２６fの図示を省略する。
【０１０１】
(a)詳細表示画面
図２６の詳細表示画面２６aは、「超問題児」への移行通知画面２５Aがクリックされたときに表示される画面であり、月単位で「超問題児」に属する機種を表示する。同図に示すように、詳細表示画面２６aには、その通知画面２５Aのコメント欄Comと同じ内容を表示するコメント欄Comと、「月間」つまり月単位でのシェアグラフ２０１と、「移行元」の区分表示を含む機種一覧Listとが表示される。
図２６に示すように、詳細表示画面２６aのシェアグラフ２０１は、図２０のシェアグラフ２０１と同じ８区分に設定されており、超問題児の比率を表す円グラフ（同グラフ２０１の左下側の円グラフ）の背景色を網掛け表示（強調表示）して、他の区分の背景色と異ならせている。また、図２６の機種一覧Listにおいて、「移行元」の欄にて該当する区分を夫々割り当てられた背景色で表すとともに、移行元が「超問題児」に該当する「機種」の欄にマーキング「！」を付して強調表示している。また、機種一覧Listでは、機種の表示順を「台数」の降順とし、台数が同じ場合には「アウト」の降順として、夫々該当する「玉粗利」や「タイプ」も表示される。尚、「台数」や「タイプ」の欄を空欄にしているが、その空欄には該当する台数やタイプが表示されるものとする。
【０１０２】
(b)詳細表示画面
図２７の詳細表示画面２６bは、「超問題児」からの移行通知画面２５Bがクリックされたときに表示される画面であり、月単位で超問題児と判定された機種について、その通知後一週間で超問題児以外の区分に属するようになった場合の「移行先」を表示する。同図に示すように、詳細表示画面２６bには、その移行通知画面２５Bのコメント欄Comと同じ内容を表示するコメント欄Comと、「月間」のシェアグラフ２０１と「今週」つまり週単位のシェアグラフ２０１´と、「移行元」の区分表示を含む機種一覧Listとが表示される。「今週」のシェアグラフ２０１´は８区分に設定されており、超問題児に該当していた機種の比率を表す左下側の円グラフの背景色を強調表示している。尚、両グラフ２０１，２０１´は便宜上、相互に同じ割合を示しているが、実際には超問題児等からの移行に伴い相互に割合が異なることとなる。
【０１０３】
(c)詳細表示画面
この詳細表示画面２６c（図示略）は、「問題児」台数比率オーバー通知画面２５Cがクリックされたときに表示される画面である。図示は省略するが、この詳細表示画面２６cには、台数比率オーバー通知画面２５Cのコメント欄Comと同じ内容を表示するコメント欄Comと、「月間」のシェアグラフ２０１と、「移行元」の区分表示を含む機種一覧Listとが表示される。「月間」のシェアグラフ２０１は、設定により８区分に代えて４区分の円グラフ（図１４参照）とすることができる。また、機種一覧Listでは、「移行元」の欄にて、月単位で問題児に該当する機種の台数比率が設定値をオーバーした場合に、問題児に該当する「機種」を表示し、その区分が変わらず問題児のままの機種、つまり「移行元」が問題児の機種の欄にマーキング「！」を付して強調表示する。
【０１０４】
(d)詳細表示画面
この詳細表示画面２６d（図示略）は、「問題児」台数比率推移通知画面２５Dがクリックされたときに表示される画面である。図示は省略するが、この詳細表示画面２６dには、台数比率推移通知画面２５Dのコメント欄Comと同じ内容を表示するコメント欄Comと、「月間」のシェアグラフ２０１及び「今週」のシェアグラフ２０１´と、「移行先」の区分表示を含む機種一覧Listとが表示される。各シェアグラフ２０１，２０１´は、設定により８区分に代えて４区分の円グラフとすることができる。
【０１０５】
(e)詳細表示画面
この詳細表示画面２６e（図示略）は、「超花形」台数比率オーバー通知画面２５Eがクリックされたときに表示される画面である。図示は省略するが、この詳細表示画面２６eには、台数比率オーバー通知画面２５Eのコメント欄Comと同じ内容を表示するコメント欄Comと、「月間」のシェアグラフ２０１と、「移行元」の区分表示を含む機種一覧Listとが表示される。また、機種一覧Listでは、「移行元」の欄にて、月単位で超花形に該当する機種の台数比率が設定値をオーバーした場合に、超花形に該当する「機種」を表示し、その区分が変わらず超花形のままの機種、つまり「移行元」が超花形の機種の欄にマーキング「！」を付して強調表示する。
【０１０６】
(f)詳細表示画面
この詳細表示画面２６f（図示略）は、「超花形」台数比率推移通知画面２５Fがクリックされたときに表示される画面である。図示は省略するが、この詳細表示画面２６fには、台数比率推移通知画面２５Fのコメント欄Comと同じ内容を表示するコメント欄Comと、「月間」のシェアグラフ２０１及び「今週」のシェアグラフ２０１´と、「移行先」の区分表示を含む機種一覧Listとが表示される。各シェアグラフ２０１，２０１´は、８区分に設定されている。
【０１０７】
以上説明した本実施形態によれば、以下の効果を奏する。
図８等で例示したように、遊技機１を区分するための基準情報を含むグラフ８１等を出力する場合に、グラフレンジの最大値と最小値とを、対象となる遊技情報に係る最大情報と最小情報とにより特定する一方、基準情報に対応する境界線８１ａ，８１ｂ等をグラフレンジにおける中間地点ｐ０以外の箇所に示すグラフ８１等として出力するため、基準値に対し最大値と最小値との何れかに一方にだけ合わせるようなグラフレンジを設定する従来構成と比較して、グラフ８１等の領域を有効利用することができる。
基準情報と比較する遊技情報として、アウトと粗利とに関する情報が採用され、夫々の平均値に対応した箇所に境界線８１ａ，８１ｂ等を示すため、これをアウトにより稼動状況に応じた区分、粗利により調整状況に応じた区分の指標として遊技機１を区分できるだけでなく、どれだけ貢献度が高いか低いかにより遊技機１を区分可能になる。
【０１０８】
遊技機１をスペックに応じたタイプ別に分類する設定を行い、タイプ別にグラフ８１等を出力するため、スペックにより優秀になり易いタイプや、非優秀になり易いタイプがある場合であっても、適切に遊技機１を区分可能となる。
図２１等で説明したように、遊技機１がどのような区分にて推移したのか、例えば一度、問題児となり撤去対象となりつつも、負け犬や花形へ持ち直したのか、花形のまま推移しているのかといった遊技機１の状況の推移を把握し易くなる。
また、図８等で例示したように、機種単位でグラフ出力し、各機種は台数に応じた大きさで配置されるため、台数が多く影響度の高い遊技機１がどの区分に区分されているのかを把握し易くなる。
【０１０９】
（その他の実施形態）
本発明は、上記した実施形態及び変形例に限定されることなく、次のように変形または拡張したり、各変形例を上記実施形態と組み合わせたりしてもよい。
基準情報（基準値）等の値については、自店（遊技場Ａ）での遊技情報を管理装置５で集計する等して求めたが、全国の遊技場の遊技情報をサーバ９で集計する等して求めた値（サーバ９から配信される値）を、管理装置５で用いるようにしてもよい。
【０１１０】
管理装置５が行う処理の一部を中継装置３、或いは遊技装置２等にて行ってもよい。また、サーバ９で行う処理を管理装置５で行ったり、管理装置５で行う処理をサーバ９にて行ったり、サーバ９を設けずに管理装置５のみで統計データ等を特定することにより基準値を特定する等、どのように構成してもよい。
区分に関してＳＰ玉粗利側だけ基準値を増やし、８区分としたが、アウト側の基準値を増やして１６区分とする等、区分の数は適宜変更しうるものである。グラフとしては、基準値により区分される遊技機１について、対応する境界線で区分された領域に、識別情報として機種名を配置し或いは羅列する構成としてもよい。また、識別情報としては、第１遊技情報だけ（例えばアウトだけ）に対応する識別マーク等で表すようにしてもよい。また、識別情報は、バブルＢのような円形とせずに、機種各々の台数に応じた大きさの形状（円形以外の形状）で表すようにしてもよい。更に、第１軸を横軸、第２軸を縦軸にすることを例示したが、入替えても勿論よい。
【０１１１】
各種の設定値（設定情報）は、遊技場管理者が任意に入力操作により設定してもよいし、予め管理装置の製造メーカにて設定してもよい。又、例えばチェーン店本部等の外部のサーバから設定情報をダウンロードして設定してもよい。
例示した全ての遊技情報は、遊技機側から出力される信号により直接的に特定してもよいし、演算式を利用して間接的に特定してもよい。
【０１１２】
数値、桁数、項目等は例示であり、どのような数値を採用してもよい。また、以上と超過についてはどちらを採用してもよく、「達した」等の表現は以上となった或いは超過したのいずれにも対応する表現となる。以下と未満についても同様で、「達していない」等の表現は双方に対応する表現となる。また、グラフや帳票を出力する出力態様については、どのような出力態様としてもよく、印字出力や、表示出力を採用することができる。
対象となる遊技機としては遊技媒体をデータのみで管理する所謂封入式等の例示したパチンコ機やスロットマシン以外の遊技機も採用できる。
【０１１３】
尚、以上に例示した実施形態からは以下の特徴を抽出することも可能である。
遊技機側から出力される遊技信号により特定される遊技情報を管理する管理手段と、
遊技機をスペックに応じたタイプ別に分類する分類手段と、複数のタイプの遊技機を対象として、その遊技情報に対する基準情報をタイプ別に設定する設定手段と、当該タイプ別に設定される基準情報と遊技情報とを比較することによりタイプ別に遊技機を区分する区分手段と、その区分結果を把握可能な識別情報を前記比較の対象とされた遊技情報に対応する箇所に配置したグラフであって、複数のタイプを対象として当該識別情報を混合して配置したグラフを出力する出力手段と、を備えたことを特徴とする。
【０１１４】
前記遊技情報は、第１遊技情報と第２遊技情報とを含み、前記基準情報は、前記第１遊技情報に対する基準情報と前記第２遊技情報に対する基準情報とを含み、前記区分手段は、前記第１遊技情報と前記第２遊技情報とを各々対応する前記基準情報と比較することにより遊技機を前記タイプ別に区分し、前記出力手段は、前記第１遊技情報を第１軸、前記第２遊技情報を第２軸とし、前記識別情報を前記第１遊技情報と前記第２遊技情報とに対応する箇所に配置したグラフを出力することを特徴とする。
【０１１５】
前記第１遊技情報は、遊技機の稼動状況を示す遊技情報、前記第２遊技情報は、遊技機の調整状況を示す遊技情報であり、前記基準情報は、前記第１遊技情報に対する基準情報と、前記第２遊技情報に対する基準情報とを含むとともに、前記第２遊技情報の前記比較に基づく区分の数を、前記第１遊技情報の前記比較に基づく区分の数よりも多くするように、前記第２遊技情報の基準情報が多く設定されていることを特徴とする。
【０１１６】
前記区分手段による区分対象となる区分の内、選択された区分に属する遊技機の遊技情報を出力するための選択手段を備え、前記出力手段は、前記選択手段により第１区分が選択された場合に、更に遊技機を区分して前記遊技情報を出力する一方、第２区分が選択された場合には更に遊技機を区分することなく前記遊技情報を出力することを特徴とする。
前記出力手段は、各区分において何れのタイプに属するかにより振分けられた遊技機数を当該区分の全遊技機数で除したタイプの割合を示すグラフを出力することを特徴とする。
【０１１７】
遊技機側から出力される遊技信号により特定される遊技情報を管理する管理手段と、前記遊技情報を基準情報と比較することにより遊技機を区分する区分手段と、前記区分手段による区分対象となる区分のうち予め設定された特定の区分に、その区分の対象となる遊技機が属するようになったか、及び前記特定の区分に属していた遊技機が当該特定の区分から脱したかを判定する判定手段と、を備え、
前記判定手段は、前記特定の区分に遊技機が属するようになったかを第１期間単位で判定する一方、前記特定の区分に属していた遊技機が当該特定の区分から脱したかを、前記第１期間よりも短い第２期間単位で判定することを特徴とする。
【０１１８】
前記遊技情報は、遊技機の稼動状況を示す第１遊技情報と、遊技機の調整状況を示す第２遊技情報とを含み、前記基準情報は、前記第１遊技情報に対する基準情報と、前記第２遊技情報に対する基準情報とを含むとともに、前記第２遊技情報の前記比較に基づく区分の数を、前記第１遊技情報の前記比較に基づく区分の数よりも多くするように、前記第２遊技情報の基準情報が多く設定されており、前記区分手段は、前記第１遊技情報と前記第２遊技情報とを、夫々の前記基準値と比較することにより遊技機を区分し、前記判定手段は、前記第２遊技情報の基準値のうち最も低い基準値との比較結果に応じて区分される区分を、前記特定の区分として前記判定を行うことを特徴とする。
【０１１９】
前記判定手段は、前記特定の区分に遊技機が属するようになった場合、その属するようになった日を起点として所定期間経過するまでは、再度特定の区分に遊技機が属するようになったかの判定を抑制することを特徴とする。
【０１２０】
前記判定手段は、前記特定の区分に属する遊技機数、或いは対象となる遊技機数の内、当該特定の区分に属する遊技機数の割合を示す遊技機数情報が異常になったかを前記第１期間単位で判定する一方、当該遊技機数情報が正常に戻ったかを、前記第２期間単位の判定と前記第１期間単位の判定との双方の判定結果に基づき判定することを特徴とする。
【０１２１】
前記判定手段は、前記特定の区分に遊技機が属するようになったか、及び前記特定の区分に属していた遊技機が当該特定の区分から脱したかについて、夫々特定した場合に報知するように構成されており、当該特定の区分に遊技機が属するようになったかを報知する場合には移行元の区分、当該特定の区分から脱したかを報知する場合には移行先の区分を報知することを特徴とする。
【符号の説明】
【０１２２】
図面中、１は遊技機、５は管理装置（管理手段、設定手段、出力手段、特定手段、分類手段、区分手段、選択手段、判定手段）、８１，８１´，１１１，１２１，１３１，１４１，１５１，１５２，１８１，１９１，２０１，２０１´，２０１，２２１，２３１，２４１はグラフ、８１ａ〜８１ｂ´，１１１ａ，１１１ｂ，１５１ａ〜１５１ｄ，１５２ｃ，１５２ｄ，１８１ａ〜１８１ｄは境界線（第１境界線、第２境界線）である。
【図１】
2020146368.tif 000003
【図２】
2020146368.tif 000004
【図３】
2020146368.tif 000005
【図４】
2020146368.tif 000006
【図５】
2020146368.tif 000007
【図６】
2020146368.tif 000008
【図７】
2020146368.tif 000009
【図８】
2020146368.tif 000010
【図９】
2020146368.tif 000011
【図１０】
2020146368.tif 000012
【図１１】
2020146368.tif 000013
【図１２】
2020146368.tif 000014
【図１３】
2020146368.tif 000015
【図１４】
2020146368.tif 000016
【図１５】
2020146368.tif 000017
【図１６】
2020146368.tif 000018
【図１７】
2020146368.tif 000019
【図１８】
2020146368.tif 000020
【図１９】
2020146368.tif 000021
【図２０】
2020146368.tif 000022
【図２１】
2020146368.tif 000023
【図２２】
2020146368.tif 000024
【図２３】
2020146368.tif 000025
【図２４】
2020146368.tif 000026
【図２５】
2020146368.tif 000027
【図２６】
2020146368.tif 000028
【図２７】
2020146368.tif 000029
【図２８】
2020146368.tif 000030
【図２９】
2020146368.tif 000031